(57)【特許請求の範囲】
【請求項１】
第１表面側に予め積層され又は事後的に形成される複数の第１記録再生層と、前記第１表面と反対の第２表面側に予め積層され又は事後的に形成され且つ前記第１記録再生層と同じ層数となる第２記録再生層と、を有する光記録媒体に対して、情報を記録再生する記録再生方法であって、
第１記録再生用ビームを前記第１表面から第１記録再生層に照射して情報の記録又は再生を行う第１記録再生動作と、第２記録再生用ビームを前記第２表面から第２記録再生層に照射して情報の記録又は再生を行う第２記録再生動作とを同時に実行し、
前記第１記録再生動作における前記第１記録再生層の前記第１表面側からの積層順位と、前記第２記録再生動作における前記第２記録再生層の前記光記録媒体の厚さ方向の中心側からの積層順位が同じになることを特徴とする、
光記録媒体の光記録再生方法。
【請求項２】
複数の前記第１記録再生層に対しては、前記第１表面に近い順番に記録又は再生を行うようにし、複数の前記第２記録再生層に対しては、前記光記録媒体の厚さ方向の中心に近い順番に記録又は再生を行うことを特徴とする、
請求項１に記載の光記録媒体の光記録再生方法。
【請求項３】
前記光記録媒体は、トラッキング制御用の凹凸又は溝を有するサーボ層を少なくとも１層備えており、
前記第１記録再生動作及び前記第２記録再生動作では、トラッキング用ビームを前記サーボ層に照射してトラッキング制御を行いながら、前記第１記録再生層及び前記第２記録再生層に対して記録又は再生を行うことを特徴とする、
請求項１又は２に記載の光記録媒体の光記録再生方法。
【請求項４】
前記第１記録再生動作及び前記第２記録再生動作では、共通の前記トラッキング用ビーム及び前記サーボ層を用いてトラッキング制御を行うことを特徴とする、
請求項３に記載の光記録媒体の光記録再生方法。
【請求項５】
前記サーボ層は、前記光記録媒体の基板の少なくとも一方の面に形成されており、
前記基板は、略透明であることを特徴とする、
請求項３又は４に記載の光記録媒体の光記録再生方法。
【請求項６】
前記光記録媒体の厚さ方向の中心側からｎ番目の前記第１記録再生層に記録する前記第１記録再生用ビームの最適記録パワーが未決定の場合に、該最適記録パワーを設定する際において、
前記光記録媒体の厚さ方向の中心側からのｎ番目の前記第２記録再生層に記録する前記第２記録再生用ビームの最適記録パワーが既に決定されている場合は、前記第２記録再生用ビームの最適記録パワーを前記第１記録再生用ビームの最適記録パワーに決定し、一方、
前記ｎ番目の前記第２記録再生層に記録する前記第２記録再生用ビームの最適記録パワーが未決定の場合は、前記ｎ番目の前記第１記録再生層の試し書き領域に対して、前記第１記録再生用ビームによって試し書きを行うことで、前記第１記録再生用ビームの最適記録パワーを決定するようにし、
前記光記録媒体の厚さ方向の中心側からｍ番目の前記第２記録再生層に記録する前記第２記録再生用ビームの最適記録パワーが未決定の場合に、該最適記録パワーを設定する際において、
前記光記録媒体の厚さ方向の中心側からのｍ番目の前記第１記録再生層に記録する前記第１記録再生用ビームの最適記録パワーが既に決定されている場合は、前記第１記録再生用ビームの最適記録パワーを前記第２記録再生用ビームの最適記録パワーに決定し、一方、
前記ｍ番目の前記第１記録再生層に記録する前記第１記録再生用ビームの最適記録パワーが未決定の場合は、前記ｍ番目の前記第２記録再生層の試し書き領域に対して、前記第２記録再生用ビームによって試し書きを行うことで、前記第２記録再生用ビームの最適記録パワーを決定することを特徴とする、
請求項１乃至５のいずれかに記載の光記録媒体の光記録再生方法。
【請求項７】
前記光記録媒体の前記第１記録再生層と前記第２記録再生層は、前記光記録媒体の厚さ方向の中心を基準に対称となる位置に配置されることを特徴とする、
請求項１乃至６のいずれかに記載の光記録媒体の光記録再生方法。
【請求項８】
第１表面側に予め積層され又は事後的に形成される複数の第１記録再生層と、前記第１表面と反対の第２表面側に予め積層され又は事後的に形成され且つ前記第１記録再生層と同じ層数となる第２記録再生層と、を有する光記録媒体に対して、情報を記録再生する記録再生装置であって、
前記光記録媒体の前記第１表面側に配置され、第１記録再生用ビームを前記第１表面から第１記録再生層に照射して情報の記録又は再生を行う第１記録再生用光学系と、
前記光記録媒体の前記第２表面側に配置され、第２記録再生用ビームを前記第２表面から第２記録再生層に照射して情報の記録又は再生を行う第２記録再生光学系を備え、
前記第１記録再生光学系による前記第１記録再生層に対する情報の記録又は再生と、  前記第２記録再生光学系による前記第２記録再生層に対する情報の記録又は再生を同時に実行する際に、前記第１記録再生光学系によって記録される前記第１記録再生層の前記第１表面側からの積層順位と、前記第２記録再生光学系によって記録される前記第２記録再生層の前記光記録媒体の厚さ方向の中心側からの積層順位が同じになることを特徴とする、
光記録媒体の光記録再生装置。
【請求項９】
前記第１及び第２記録再生用ビームの最適記録パワーを決定すると共に、前記最適記録パワーをメモリに蓄積する出力制御手段を備えるようにし、
前記出力制御手段は、
前記光記録媒体の厚さ方向の中心側からｎ番目の前記第１記録再生層に記録する前記第１記録再生用ビームの最適記録パワーが未決定の場合に、該最適記録パワーを設定する際において、
前記メモリを参照することにより、前記光記録媒体の厚さ方向の中心側からのｎ番目の前記第２記録再生層に記録する前記第２記録再生用ビームの最適記録パワーが既に蓄積されている場合は、前記第２記録再生用ビームの最適記録パワーを前記第１記録再生用ビームの最適記録パワーに決定し、一方、
前記ｎ番目の前記第２記録再生層に記録する前記第２記録再生用ビームの最適記録パワーが未蓄積の場合は、前記ｎ番目の前記第１記録再生層の試し書き領域に対して、前記第１記録再生用ビームによって試し書きを行うことで、前記第１記録再生用ビームの最適記録パワーを決定すると共に該最適記録パワーを前記メモリに蓄積し、
前記光記録媒体の厚さ方向の中心側からｍ番目の前記第２記録再生層に記録する前記第２記録再生用ビームの最適記録パワーが未決定の場合に、該最適記録パワーを設定する際において、
前記メモリを参照することにより、前記光記録媒体の厚さ方向の中心側からのｍ番目の前記第１記録再生層に記録する前記第１記録再生用ビームの最適記録パワーが既に蓄積されている場合は、前記第１記録再生用ビームの最適記録パワーを前記第２記録再生用ビームの最適記録パワーに決定し、一方、
前記ｍ番目の前記第１記録再生層に記録する前記第１記録再生用ビームの最適記録パワーが未蓄積の場合は、前記ｍ番目の前記第２記録再生層の試し書き領域に対して、前記第２記録再生用ビームによって試し書きを行うことで、前記第２記録再生用ビームの最適記録パワーを決定すると共に該最適記録パワーを前記メモリに蓄積することを特徴とする、
請求項８に記載の光記録媒体の光記録再生装置。
【発明の詳細な説明】
【技術分野】
【０００１】
本発明は、複数の記録再生層を有する光記録媒体に対する光記録再生方法及び光記録再生装置に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定している。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【０００４】
一方、光記録媒体において記録再生層を多層化する場合、各記録再生層に対してグルーブ／ランド等のトラッキング制御用の凹凸を形成しようとすると、媒体構成が複雑となり、偏芯調整などの作業が困難になることが懸念される。また、記録再生層を設けるごとに凸凹を形成するための母型となるスタンパが必要となり、多層化すればするほど、このスタンパを使う回数が増え製造コストが増大する。
【０００５】
そこで近年、光記録媒体において、凹凸や溝を有するサーボ層と、凹凸や溝を有しない記録再生層を別々に設けるようにし、トラッキング制御専用のビームを用いてサーボ層からトラッキング信号を得ながら、記録再生専用のビームによって記録再生層に情報を記録する技術が提案されている（特許文献１、２、３参照）。
【先行技術文献】
【特許文献】
【０００６】
【特許文献１】特開２００８−９７６９３号公報
【特許文献２】特開２００８−９７６９４号公報
【特許文献３】国際公開ＷＯ２００８／０９９７０８
【非特許文献】
【０００７】
【非特許文献１】I. Ichimura et. al., Appl. Opt, 45, 1974-1803 (2006)
【非特許文献２】K. Mishima et. al., Proc. of SPIE, 6282, 62820I (2006)
【発明の概要】
【発明が解決しようとする課題】
【０００８】
上記技術のように、記録再生層の層数を増大させると、光記録媒体内には、厚さ方向の広範囲に亘って記録再生層が配置される。この結果、記録再生用の光ピックアップは、厚さ方向の広い範囲にビームをフォーカスさせる必要が出てくるため、球面収差の補正範囲を広く設定しなければならない。従って、光ピックアップの構成が複雑化・大型化すると共に、光ピックアップによる記録再生層のシーク時間が長くなるという問題があった。
【０００９】
また、記録再生層の層数を増大させれば、光記録媒体の容量は増大するが、これだけでは記録再生速度の向上には繋がらない。例えば、光記録媒体の記録容量が増大する一方で、記録速度の向上が伴わないと、記録作業における利用者の待機時間が長くなり、感覚的な利便性が低下するという問題があった。
【００１０】
更に、複数の記録再生層を有する光記録媒体に情報を記録する場合、記録用のレーザーパワーやその出力パラメーターを最適化するＯＰＣ（Ｏｐｔｉｍｕｍ  Ｐｏｗｅｒ  Ｃｏｎｔｒｏｌ）を記録再生層毎に行う必要がある。なお、このＯＰＣは、各記録再生層の試し書き領域に対して、出力パワーを段階的に変えながらランダムデータを記録し、この記録データを再生して分析することによって、レーザーの記録パワーレベル（Ｐｗ）、消去パワーレベル（Ｐｅ）等を最適化する。ＯＰＣを採用すれば、温度等の使用環境や、ドライブに搭載されているレーザーの個体差、各記録再生層の経時劣化等を考慮して、記録直前にレーザーパワーを最適化できる。しかしながら、その分だけ、記録前の準備時間が長くなるという問題があった。
【００１１】
特に、複数の記録再生層に跨って連続的に情報を記録する際には、情報の転送レートの連続性を維持するためにも、記録対象となる複数の記録再生層の全てに対してＯＰＣを予め行い、各記録再生層で異なる出力パラメーターを記憶メモリに保持するような準備動作が必要となる。結果、記録前の準備時間が益々長くなるという問題があった。
【００１２】
また、特許文献１〜３のようなサーボ層と記録再生層を別々に設けた光記録媒体では、サーボ層から離れた記録再生層である程、記録マークの形成位置に半径方向のずれが生じやすい。従って、このずれを見越して、試し書き領域も広めに確保しておく必要があり、ユーザデータ領域が更に減少するという問題があった。また例えば、記録再生層を増やすために、複数のサーボ層を光記録媒体の一方の面側に形成すると、成膜時の内部応力が光記録媒体の一方に片寄り易いため、光記録媒体に反りや歪みが生じる。この反りや歪みによっても、記録マークの形成位置に半径方向のずれが益々生じやすくなるので、試し書き領域を益々広めに確保しなければならないという問題があった。
【００１３】
本発明は上記問題点に鑑みてなされたものであり、光記録媒体において記録再生層を多層化しても、転送レートを高めることが可能な光記録再生手法を提供することを目的とする。
【課題を解決するための手段】
【００１４】
本発明者らの鋭意研究によって、上記目的は以下の手段によって達成される。
【００１５】
即ち、上記目的を達成する本発明は、第１表面側に予め積層され又は事後的に形成される複数の第１記録再生層と、前記第１表面と反対の第２表面側に予め積層され又は事後的に形成され且つ前記第１記録再生層と同じ層数となる第２記録再生層と、を有する光記録媒体に対して、情報を記録再生する記録再生方法であって、第１記録再生用ビームを前記第１表面から第１記録再生層に照射して情報の記録又は再生を行う第１記録再生動作と、第２記録再生用ビームを前記第２表面から第２記録再生層に照射して情報の記録又は再生を行う第２記録再生動作とを同時に実行し、前記第１記録再生動作における前記第１記録再生層の前記第１表面側からの積層順位と、前記第２記録再生動作における前記第２記録再生層の前記光記録媒体の厚さ方向の中心側からの積層順位が同じになることを特徴とする光記録媒体の光記録再生方法である。
【００１６】
上記目的を達成する上記光記録再生方法において、複数の前記第１記録再生層に対しては、前記第１表面に近い順番に記録又は再生を行うようにし、複数の前記第２記録再生層に対しては、前記光記録媒体の厚さ方向の中心に近い順番に記録又は再生を行うことを特徴とする。
【００１７】
上記目的を達成する上記光記録再生方法において、前記光記録媒体は、トラッキング制御用の凹凸又は溝を有するサーボ層を少なくとも１層備えており、前記第１記録再生動作及び前記第２記録再生動作では、トラッキング用ビームを前記サーボ層に照射してトラッキング制御を行いながら、前記第１記録再生層及び前記第２記録再生層に対して記録又は再生を行うことを特徴とする。
【００１８】
上記目的を達成する上記光記録再生方法において、前記第１記録再生動作及び前記第２記録再生動作では、共通の前記トラッキング用ビーム及び前記サーボ層を用いてトラッキング制御を行うことを特徴とする。
【００１９】
上記目的を達成する上記光記録再生方法において、前記サーボ層は、前記光記録媒体の基板の少なくとも一方の面に形成されており、前記基板は、略透明であることを特徴とする。
【００２０】
上記目的を達成する上記光記録再生方法において、前記光記録媒体の厚さ方向の中心側からｎ番目の前記第１記録再生層に記録する前記第１記録再生用ビームの最適記録パワーが未決定の場合に、該最適記録パワーを設定する際において、前記光記録媒体の厚さ方向の中心側からのｎ番目の前記第２記録再生層に記録する前記第２記録再生用ビームの最適記録パワーが既に決定されている場合は、前記第２記録再生用ビームの最適記録パワーを前記第１記録再生用ビームの最適記録パワーに決定し、一方、前記ｎ番目の前記第２記録再生層に記録する前記第２記録再生用ビームの最適記録パワーが未決定の場合は、前記ｎ番目の前記第１記録再生層の試し書き領域に対して、前記第１記録再生用ビームによって試し書きを行うことで、前記第１記録再生用ビームの最適記録パワーを決定するようにし、前記光記録媒体の厚さ方向の中心側からｍ番目の前記第２記録再生層に記録する前記第２記録再生用ビームの最適記録パワーが未決定の場合に、該最適記録パワーを設定する際において、前記光記録媒体の厚さ方向の中心側からのｍ番目の前記第１記録再生層に記録する前記第１記録再生用ビームの最適記録パワーが既に決定されている場合は、前記第１記録再生用ビームの最適記録パワーを前記第２記録再生用ビームの最適記録パワーに決定し、一方、前記ｍ番目の前記第１記録再生層に記録する前記第１記録再生用ビームの最適記録パワーが未決定の場合は、前記ｍ番目の前記第２記録再生層の試し書き領域に対して、前記第２記録再生用ビームによって試し書きを行うことで、前記第２記録再生用ビームの最適記録パワーを決定することを特徴とする。
【００２１】
上記目的を達成する上記光記録再生方法において、前記光記録媒体の前記第１記録再生層と前記第２記録再生層は、前記光記録媒体の厚さ方向の中心を基準に対称となる位置に配置されることを特徴とする。
【００２２】
上記目的を達成する本発明は、第１表面側に予め積層され又は事後的に形成される複数の第１記録再生層と、前記第１表面と反対の第２表面側に予め積層され又は事後的に形成され且つ前記第１記録再生層と同じ層数となる第２記録再生層と、を有する光記録媒体に対して、情報を記録再生する記録再生装置であって、前記光記録媒体の前記第１表面側に配置され、第１記録再生用ビームを前記第１表面から第１記録再生層に照射して情報の記録又は再生を行う第１記録再生用光学系と、前記光記録媒体の前記第２表面側に配置され、第２記録再生用ビームを前記第２表面から第２記録再生層に照射して情報の記録又は再生を行う第２記録再生光学系を備え、前記第１記録再生光学系によって記録される前記第１記録再生層の前記第１表面側からの積層順位と、前記第２記録再生光学系によって記録される前記第２記録再生層の前記光記録媒体の厚さ方向の中心側からの積層順位が同じになることを特徴とする、光記録媒体の光記録再生装置である。
【００２３】
上記目的を達成する上記光記録再生装置は、前記第１及び第２記録再生用ビームの最適記録パワーを決定すると共に、前記最適記録パワーをメモリに蓄積する出力制御手段を備えるようにし、前記出力制御手段は、前記光記録媒体の厚さ方向の中心側からｎ番目の前記第１記録再生層に記録する前記第１記録再生用ビームの最適記録パワーが未決定の場合に、該最適記録パワーを設定する際において、前記メモリを参照することにより、前記光記録媒体の厚さ方向の中心側からのｎ番目の前記第２記録再生層に記録する前記第２記録再生用ビームの最適記録パワーが既に蓄積されている場合は、前記第２記録再生用ビームの最適記録パワーを前記第１記録再生用ビームの最適記録パワーに決定し、一方、前記ｎ番目の前記第２記録再生層に記録する前記第２記録再生用ビームの最適記録パワーが未蓄積の場合は、前記ｎ番目の前記第１記録再生層の試し書き領域に対して、前記第１記録再生用ビームによって試し書きを行うことで、前記第１記録再生用ビームの最適記録パワーを決定すると共に該最適記録パワーを前記メモリに蓄積し、前記光記録媒体の厚さ方向の中心側からｍ番目の前記第２記録再生層に記録する前記第２記録再生用ビームの最適記録パワーが未決定の場合に、該最適記録パワーを設定する際において、前記メモリを参照することにより、前記光記録媒体の厚さ方向の中心側からのｍ番目の前記第１記録再生層に記録する前記第１記録再生用ビームの最適記録パワーが既に蓄積されている場合は、前記第１記録再生用ビームの最適記録パワーを前記第２記録再生用ビームの最適記録パワーに決定し、一方、前記ｍ番目の前記第１記録再生層に記録する前記第１記録再生用ビームの最適記録パワーが未蓄積の場合は、前記ｍ番目の前記第２記録再生層の試し書き領域に対して、前記第２記録再生用ビームによって試し書きを行うことで、前記第２記録再生用ビームの最適記録パワーを決定すると共に該最適記録パワーを前記メモリに蓄積することを特徴とする。
【発明の効果】
【００２４】
本発明によれば、光記録媒体において記録再生層を多層化しても、転送レートを高めることを可能とする。
【図面の簡単な説明】
【００２５】
【図１】本発明の実施形態に係る光記録再生方法を実現する光記録再生装置及び光記録媒体の全体構成を示すブロック図である。
【図２】同光記録再生装置の第１光ピックアップの内部構成の例を示すブロック図である。
【図３】同光記録再生装置の第２光ピックアップの内部構成の例を示すブロック図である。
【図４】同光記録媒体の積層構造を示す断面図である。
【図５Ａ】同光記録媒体の製造手順を示す断面図である。
【図５Ｂ】同光記録媒体の製造手順を示す断面図である。
【図５Ｃ】同光記録媒体の製造手順を示す断面図である。
【図５Ｄ】同光記録媒体の製造手順を示す断面図である。
【図６】同光記録再生装置による記録パワーの設定手順を示すフローチャートである。
【図７】（Ａ）から（Ｄ）は、光記録再生方法による光記録媒体へのＯＰＣの実行手順を拡大して示す断面図である。
【図８】同光記録再生装置によるＯＰＣを行う際の記録パワーの変化を示すグラフ図である。
【図９】（Ａ）から（Ｄ）は、同光記録再生方法による光記録媒体への記録手順を拡大して示す断面図である。
【図１０】同光記録再生方法による光記録媒体の再生手順を拡大して示す断面図である。
【図１１】同光記録再生方法が適用される光記録媒体の他の積層構造例を示す断面図である。
【図１２】同光記録再生方法が適用される光記録媒体の他の積層構造例を示す断面図である。
【図１３】同光記録再生方法が適用される光記録媒体の他の積層構造例を示す断面図である。
【発明を実施するための形態】
【００２６】
以下、本発明の実施の形態を添付図面を参照して説明する。
【００２７】
図１には、本発明の実施形態に係る光記録再生方法が適用される光記録媒体１０と、この光記録再生方法を実現する光記録再生装置７０の内部構成が示されている。この記録再生装置７０は、第１、第２光ピックアップ９０Ａ、９０Ｂと、この第１、第２光ピックアップ９０Ａ、９０Ｂをトラッキング方向に移動させる第１、第２直動機構７５Ａ、７５Ｂと、この第１、第２直動機構７５Ａ、７５Ｂを制御するトラッキング制御装置８０と、第１、第２光ピックアップ９０Ａ、９０Ｂの各ビームの出力パワーを制御する出力制御装置８６とを備えて構成される。
【００２８】
第１、第２直動機構７５Ａ、７５Ｂはいわゆるリニアモータであり、この上に第１、第２光ピックアップ９０Ａ、９０Ｂが搭載される。結果、第１光ピックアップ９０Ａは、第１直動機構７５Ａによって光記録媒体１０の半径方向に移動される。また、第２光ピックアップ９０Ｂは、第２直動機構７５Ｂによって光記録媒体１０の半径方向に移動される。
【００２９】
第１光ピックアップ９０Ａは、光記録媒体１０の一方の第１表面１０Ａ側からビームを照射する。第２光ピックアップ９０Ｂは、光記録媒体１０の他方の第２表面３０Ａ側からビームを照射する。なお、特に図示しないが、第１光ピックアップ９０Ａと第２光ピックアップ９０Ｂは、光記録媒体１０の周方向に所定角度差分だけ、ずれた状態で配置されている。このようにすると、互いのビームが干渉する状況を回避できる。なお、この角度差は、例えば２０度以内に収めることが好ましい。
【００３０】
第１、第２光ピックアップ９０Ａ、９０Ｂの内部構成は、一部は略同じであり、一部は異なっている。従って、互いに共通する部品・部材については、第１光ピックアップ９０Ａでは図中又は文章中の各符号の末尾にＡを付し、第２光ピックアップ９０Ｂで図中又は文章中の符号の末尾にＢを付し、末尾以外は同じ番号にする。ここでは第１光ピックアップ９０Ａの内部構成を詳細に説明することで、第２光ピックアップ９０Ｂは、第１光ピックアップ９０Ａと異なる点を中心に説明する。
【００３１】
図２に示されるように、第１光ピックアップ９０Ａは、記録再生用光学系１００Ａと、トラッキング用光学系２００Ａを備える。記録再生用光学系１００Ａは、光記録媒体１０の第１記録再生層群１４に対して記録・再生を行う光学系となる。トラッキング用光学系２００Ａは、記録再生用光学系１００Ａを利用して第１記録再生層群１４に情報を記録する際に、サーボ層１８を利用してトラッキング制御を行う光学系となる。
【００３２】
記録再生用光学系１００Ａの光源１０１Ａから出射された発散性の記録再生用のビーム１７０Ａは、球面収差補正手段１９３Ａを備えたコリメートレンズ１５３Ａを透過し、偏光ビームスプリッタ１５２Ａに入射する。なお、ビーム１７０Ａは青色波長３８０〜４５０ｎｍ（ここでは４０５ｎｍ）となっている。偏光ビームスプリッタ１５２Ａに入射したビーム１７０Ａは、この偏光ビームスプリッタ１５２Ａを透過して、更に４分の１波長板１５４Ａの透過によって円偏光に変換された後、トラッキング用光学系２００Ａのビームスプリッタ２６０Ａに入射する。このビームスプリッタ２６０Ａは、透過率が大きく、且つ反射率が小さく設定されている。具体的に反射率に対する透過率の比率が１０倍又はそれ以上に設定される。従って、ビーム１７０Ａはビームスプリッタ２６０Ａを透過して、対物レンズ１５６Ａで収束ビームに変換される。このビーム１７０Ａは、光記録媒体１０の内部に形成された、記録再生対象となる第１記録再生層群１４又はサーボ層１８のいずれかに集光される。
【００３３】
対物レンズ１５６Ａの開口はアパーチャ１５５Ａで制限され、開口数ＮＡを０．７０〜０．９０（ここでは０．８５）としている。例えば、第１記録再生層群１４で反射されたビーム１７０Ａは、対物レンズ１５６Ａ、ビームスプリッタ２６０Ａ、及び４分の１波長板１５４Ａを透過して往路とは９０度異なる直線偏光に変換された後、偏光ビームスプリッタ１５２Ａで反射される。
【００３４】
偏光ビームスプリッタ１５２Ａで反射されたビーム１７０Ａは、集光レンズ１５９Ａを透過して収束光に変換され、シリンドリカルレンズ１５７Ａを経て、光検出器１３２Ａに入射する。ビーム１７０Ａには、シリンドリカルレンズ１５７Ａを透過する際、非点収差が付与される。
【００３５】
光検出器１３２Ａは、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、光記録媒体１０に記録された情報の再生信号等が生成される。ＦＥ信号およびＴＥ信号は、所望のレベルに増幅および位相補償が行われた後、アクチュエータ１９１Ａおよび１９２Ａにフィードバック供給される。このアクチュエータ１９１Ａおよび１９２Ａは、対物レンズ１５６Ａに対して、チルト制御、トラッキング制御、フォーカス制御等を行う。なお、記録再生用光学系１００Ａによるトラッキング誤差信号は再生時のみ利用される。
【００３６】
トラッキング用光学系２００Ａの光源２０１Ａから出射された、赤色波長６３０〜６８０ｎｍ（ここでは６５０ｎｍ）となる発散性のトラッキング制御用のビーム２７０Ａは、球面収差補正手段２９３Ａを備えたコリメートレンズ２５３Ａを透過し、偏光ビームスプリッタ２５２Ａに入射する。偏光ビームスプリッタ２５２Ａに入射したビーム２７０Ａは、偏光ビームスプリッタ２５２Ａを透過して、更に４分の１波長板２５４Ａを透過して円偏光に変換された後、ビームスプリッタ２６０Ａで反射される。このビーム２７０Ａは更に対物レンズ１５６Ａで収束ビームに変換されて、光記録媒体１０の内部に形成されたサーボ層１８に集光される。サーボ層１８で反射されたビーム２７０Ａは、対物レンズ１５６Ａを透過してビームスプリッタ２６０Ａで反射し、４分の１波長板２５４Ａにおいて往路とは９０度異なる直線偏光に変換された後、偏光ビームスプリッタ２５２Ａで更に反射される。偏光ビームスプリッタ２５２Ａで反射されたビーム２７０Ａは、集光レンズ２５９Ａを透過して収束光に変換され、シリンドリカルレンズ２５７Ａを経て、光検出器２３２Ａに入射する。ビーム２７０Ａには、シリンドリカルレンズ２５７Ａを透過する際、非点収差が付与される。
【００３７】
光検出器２３２Ａは、図示しない４つの受光部を有し、それぞれ受光した光量に応じた電流信号を出力する。これら電流信号から、プッシュプル法によるトラッキング誤差（ＴＥ）信号が生成される。なお、サーボ層１８にも情報が記録されている場合は、この電流信号から再生信号を生成してもよい。この光検出器２３２Ａ側では、フォーカス誤差（ＦＥ）信号を生成する必要はないが、勿論、フォーカス誤差（ＦＥ）信号を生成しても良い。
【００３８】
なお、既に述べたように、ビームスプリッタ２６０Ａは、透過率が大きく且つ反射率が小さく設定されている。従って、記録再生用光学系１００Ａの光源１０１Ａから出射され、第１記録再生層群１４のいずれかで反射した戻り光の一部は、ビームスプリッタ２６０Ａで反射してトラッキング用光学系２００Ａ側に進む。反対に、トラッキング用光学系２００Ａの光源２０１Ａから出射され、サーボ層１８で反射した戻り光の大部分は、ビームスプリッタ２６０Ａを透過して記録再生用光学系１００Ａ側に進む可能性がある。記録再生用光学系１００Ａとトラッキング用光学系２００Ａにおいて、両者の戻り光が混合する場合であっても、記録再生用光学系１００Ａとトラッキング用光学系２００Ａは、光記録媒体１０内において互いに異なる焦点位置となるため、各ビーム１７０Ａ、２７０Ａの拡がり角度が異なる。従って、特に図示しない一定形状のスリットやアパーチャを用いてビーム１７０Ａ、２７０Ａの一方のみを抽出してから、各光検出器１３２Ａ、２３２Ａに入射させることで、混合による影響を除去する。もちろん、波長選択性を有するフィルタによってビーム１７０Ａ、２７０Ａを分離しても良い。
【００３９】
とりわけ、記録再生用光学系１００Ａにおけるビーム１７０Ａの光記録媒体１０内の焦点位置と、トラッキング用光学系２００Ａのビーム２７０Ａの光記録媒体１０内の焦点位置の差が、常に一定の範囲内に収まるようにすると、上述のスリットやアパーチャを簡潔な構造にできるので、より簡便にビームの分離が可能となる。焦点距離の差を安定させるためには、記録再生用のビーム１７０Ａの焦点位置と、サーボ用のビーム２７０Ａの焦点位置が近い方が、誤差が小さくなるので好ましいと言える。
【００４０】
図３に示されるように、第２光ピックアップ９０Ｂは、記録再生用光学系１００Ｂを備えているが、トラッキング用光学系を備えていない。記録再生用光学系１００Ｂは、光記録媒体１０の第２記録再生層群３４に対して記録・再生を行う光学系となる。なお、この記録再生光学系１００Ｂは、第１光ピックアップ９０Ａの記録再生光学系１００Ａと略同じ構成となる。
【００４１】
第２光ピックアップ９０Ｂの記録再生用光学系１００Ｂによって、第２記録再生層群３４へ情報の記録する際は、第１光ピックアップ９０Ａのトラッキング用光学系２００Ａをサーボ層１８に照射することで得られるトラッキング誤差（ＴＥ）信号を用いる。具体的にアクチュエータ１９１Ｂおよび１９２Ｂは、、このトラッキング誤差信号を利用して、対物レンズ１５６Ｂに対して、チルト制御、トラッキング制御、フォーカス制御等を行う。
【００４２】
図１に戻って、トラッキング制御装置８０は、アクセスコントローラ８２、第１ドライバ８４Ａ、第２ドライバ８４Ｂを備える。アクセスコントローラ８２は、第１及び第２光ピックアップ９０Ａ、９０Ｂのアクチュエータ１９１Ａ、１９１Ｂ、１９２Ａ、１９２Ｂを制御すると共に、第１ドライバ８４Ａ及び第２ドライバ８４Ｂを利用して、目標とするトラッキング位置まで第１直動機構７５Ａ及び第２直動機構７５Ｂを制御する。
【００４３】
具体的にアクセスコントローラ８２は、以下のように第１、第２光ピックアップ９０Ａ、９０Ｂを制御する。
【００４４】
（１）記録時の制御
アクセスコントローラ８２は、特に図示しない記録再生制御装置から記録対象とするトラッキング番号を受けとり、このトラッキング番号に相当するサーボ層１８のランド／グルーブに対して第１光ピックアップ９０Ａのトラッキング用のビーム２７０Ａを照射する。これは、アクセスコントローラ８２が、トラッキング用光学系２００Ａのビーム２７０Ａによるトラッキング誤差（ＴＥ）信号を受けて、アクチュエータ１９１Ａ、１９２Ａと、第１直動機構７５Ａをフィードバック制御することで実現する。この状態で、第１光ピックアップ９０Ａは記録再生用のビーム１７０Ａを第１記録再生層群１４に照射して情報を記録する。
【００４５】
これと同時に、アクセスコントローラ８２は、第１光ピックアップ９０Ａの上記トラッキング誤差（ＴＥ）信号を利用して、アクチュエータ１９１Ａ、１９２Ａと第２直動機構７５Ｂを制御する。即ち、アクチュエータ１９１Ａ、１９１Ｂ、１９２Ａ、１９２Ｂと第１直動機構７５Ａと第２直動機構７５Ｂは、トラッキング方向に完全に同じ動作をする。この状態で、第２光ピックアップ９０Ｂは記録再生用のビーム１７０Ｂを第２記録再生層群３４に照射して情報を記録する。結果、本実施形態では、共通のサーボ層１８を利用しながら第１、第２光ピックアップ９０Ａ、９０Ｂを同時にトラッキング制御して、第１、第２記録再生層群１４、３４に対して同時に情報を記録する。
【００４６】
（２）再生時の制御
第１記録再生層群１４の再生は、第１光ピックアップ９０Ａの記録再生用光学系１００Ａのビーム１７０Ａを第１記録再生層群１４に照射することで行う。この際のトラッキング制御は、トラッキング用のビーム２７０Ａを利用せずに、アクセスコントローラ８２が、記録再生用のビーム１７０Ａのトラッキング誤差（ＴＥ）信号を直接利用して、アクチュエータ１９１Ａ、１９２Ａと第１直動機構７５Ａをフィードバック制御することで実現する。
【００４７】
第２記録再生層群３４の再生は、第２光ピックアップ９０Ｂの記録再生用光学系１００Ｂのビーム１７０Ｂを第２記録再生層群３４に照射することで行う。この際のトラッキング制御は、アクセスコントローラ８２が、第２光ピックアップ９０Ｂの記録再生用のビーム１７０Ｂのトラッキング誤差（ＴＥ）信号を直接利用して、アクチュエータ１９１Ｂ、１９２Ｂと第２直動機構７５Ｂをフィードバック制御することで実現する。即ち、本実施形態では、第１、第２光ピックアップ９０Ａ、９０Ｂで別々にトラッキング制御して、第１、第２記録再生層群１４、３４の情報を同時に再生する。
【００４８】
出力制御装置８６は、試し書き手段８７、品質評価手段８８、記録パワー調整手段８９を備えている。
【００４９】
試し書き手段８７は、実際の情報をユーザデータ領域に書き込む前に、光記録媒体１０の各記録再生層の試し書き領域に対して、テスト用のデータの試し書きを行う。具体的にまず、ランダムデータ又は特定のデータの繰り返しとなる簡易データからなるパワー設定用パターンを利用し、段階的にレーザーパワーを変化させながら、このパワー設定用パターンを書き込む。その後、このパワー設定用パターンを再生して、品質評価手段８８における信号品質の判定結果を利用して最適な記録パワーを選定する。選定された記録パワーは、記録パワー調整手段８９に伝達され、実際の出力に反映させる。また、この試し書き手段８７は、メモリ手段８７Ａを備えており、選定された最適記録パワーをメモリ手段８７Ａに蓄積するようになっている。
【００５０】
品質評価手段８８は、第１又は第２記録再生層群１４、３４の試し書き領域（ＯＰＣ領域）に試し書きされた記録マークの再生データを受け取り、このデータを利用してエラーレートやＳＡＭ（Ｓｅｑｕｅｎｃｅｄ  Ａｍｐｌｉｔｕｄｅ  Ｍａｒｇｉｎ）値を検出して試し書き手段８７に伝達する。従って、試し書き手段８７では、品質評価手段８８から得たエラーレートやＳＡＭ値を利用して、これらが一定の基準を満たしているか否か、又は訂正不能エラーが発生しているか否か等によって再生データの品質を判定し、品質が最も良くなる記録パワーを選定する。例えば、エラーレート又はＳＡＭ値が最小となるような最適記録パワーを選定する。なお、ここでは基準値としてエラーレートやＳＡＭ値を例示したが、本発明はそれに限定されず、他の手法を用いて信号品質を判断しても良い。
【００５１】
記録パワー調整手段８９は、試し書き手段８７からの指示を受けて、第１光ピックアップ９０Ａの光源１０１Ａの記録パワーと、第２光ピックアップ９０Ｂの光源１０１Ｂの記録パワーを制御する。具体的には、各光源１０１Ａ、１０１Ｂにおける記録パワーＰｗ、消去パワーＰｅ、バイアスパワーＰｂを設定する。
【００５２】
図４には、本実施形態の光記録媒体１０の断面構造が拡大して示されている。
【００５３】
光記録媒体１０は、外径が約１２０ｍｍ、厚みが約１．２ｍｍの円盤形状となっている。この光記録媒体１０は、第１表面１０Ａ側から順番に、第１カバー層１１、第１記録再生層群１４及び第１中間層群１６、第１バッファ層１７、サーボ層１８、支持基板１２、第２バッファ層３７、第２記録再生層群３４及び第２中間層群３６、第２カバー層３１、第２表面３０Ａを備えて構成される。
【００５４】
第１記録再生層群１４は、ここではＬ０〜Ｌ５記録再生層１４Ａ〜１４Ｆを備えて構成されており、それぞれに情報を記録できる構造となっている。このＬ０〜Ｌ５記録再生層１４Ａ〜１４Ｆは、トラッキング制御用の凹凸や溝を有しない平面構造となっており、記録再生用光学系１００から高エネルギーとなる記録用のビーム１７０が照射されると、記録マークが形成される。なお、この第１記録再生層群１４の種類として、情報の追記が出来るが書き換えが出来ない追記型記録再生層と、情報の書換が可能な書換型記録再生層がある。
【００５５】
支持基板１２は、光記録媒体に求められる厚み（約１．２ｍｍ）を確保するための、厚さが１０μｍ〜１２００μｍ、好ましくは１０μｍ〜６００μｍの範囲内となる円盤形状の基板である。具体的に本実施形態では、支持基板１２の厚さを５００μｍに設定し、直径を１２０ｍｍに設定している。支持基板１２における第１表面１０Ａ側には、その中心部近傍から外縁部に向けてランド１８Ａおよびグルーブ１８Ｂが螺旋状に形成される。このランド１８Ａおよびグルーブ１８Ｂが、トラッキング制御用の凹凸（溝）となる。この支持基板１２における上記凹凸が将来のサーボ層１８となる。
【００５６】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。
【００５７】
支持基板１２の上に形成されるサーボ層１８は、支持基板１２の表面に形成されるトラッキング制御用の凹凸（グルーブおよびランド）と、その上に成膜される反射性の層で構成される。特に本実施形態では、反射性の層としてＡｌ、Ａｇ等の金属膜を形成し、単純な光反射膜として機能させている。このサーボ層１８は、第１光ピックアップ９０Ａのトラッキング用のビーム２７０Ａが照射された際に１０％以下の透過率となるように設計されている。結果、ビーム２７０Ａが反対側に漏れ出して、第２光ピックアップ９０Ｂ側のノイズ成分となることを回避する。なお、反射機能に加えて情報を記録可能な記録膜を設ける場合は、後述する記録再生層１４Ａ〜１４Ｆと略同じ膜構成としてもよい。
【００５８】
サーボ層１８における隣接するランド１８Ａ同士又はグルーブ１８Ｂ同士のピッチＰ１は、ここでは０．７４μｍ未満に設定される。具体的にピッチＰ１は０．６μｍ〜０．７μｍの範囲内に設定することが望ましく、より好ましくは０．６４μｍ近傍に設定される。一方で、記録マークのトラックピッチＰ２は、ランド１８Ａ及びグルーブ１８ＢのピッチＰ１の半分（１／２）に設定される。即ち、記録マーク間のトラックピッチＰ２は、０．３７μｍ未満に設定され、望ましくは０．２６μｍ〜０．３５μｍの範囲内に設定され、より好ましくは０．３２μｍ近傍に設定される。結果、記録マーク間のトラックピッチＰ２は、ＢＤ規格との互換性のある０．３２μｍ前後となる。
【００５９】
サーボ層１８のランド１８Ａ同士／グルーブ１８Ｂ同士のピッチＰ１（０．６４μｍ前後）は、比較的長い赤色波長領域のビーム２７０Ａで十分なトラッキングができる大きさとなる。本実施形態では、ランド１８Ａとグルーブ１８Ｂの双方を利用してトラッキングを行う。結果、サーボ層１８のピッチＰ１に対して、記録マークのトラックピッチＰ２は、その半分の０．３２μｍ前後となる。このように、ランド１８Ａとグルーブ１８Ｂをそれぞれ利用してトラッキング制御することで、サーボ層１８のピッチＰ２を小さくしなくても、記録再生層群１４の記録マークのトラックピッチＰ２を小さくできる。
【００６０】
第１バッファ層１７は、光透過性のアクリル系の紫外線硬化型樹脂により構成されており、膜厚が２３８μｍに設定されている。この第１バッファ層１７は、ビームの波長が短いほど光吸収量が大きくなる材料が選択されている。このようにすることで、青色波長のビーム１７０Ａの光吸収量が大きく、赤色波長のビーム２７０Ａの吸収量が小さくなる。結果、第１バッファ層１７は、青色波長のビーム１７０Ａがサーボ層１８に到達して反射する光量を抑制することができるので、再生時の信号ノイズを低減できる。一方、第１バッファ層１７は、赤色波長のビーム２７０Ａを積極的に透過することで、トラッキング信号の光量を増大させる。
【００６１】
第１バッファ層１７の第１表面１０Ａ側に積層される第１記録再生層群１４（Ｌ０〜Ｌ５記録再生層１４Ａ〜１４Ｆ）は、それぞれ、追記型記録膜の両外側に誘電体膜を積層した３層構造となっている（図示省略）。なお、このＬ０〜Ｌ５記録再生層１４Ａ〜１４Ｆは、第１光ピックアップ９０Ａの記録再生用光学系１００Ａにおける青色波長領域（短い波長）のビーム１７０Ａに対して光反射率・吸収率・透過率等が最適化されている。
【００６２】
各記録再生層の誘電体膜は、追記型記録膜を保護するという基本機能に加えて、記録マークの形成前後における光学特性の差を拡大させる役割も果たす。
【００６３】
なお、ビーム１７０Ａを照射した場合に、この誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００６４】
誘電体膜に挟まれる追記型記録膜は不可逆的な記録マークが形成される膜であり、記録マークが形成された部分とそれ以外の部分（ブランク領域）は、ビーム１７０Ａに対する反射率が大きく異なる。この結果、データの記録・再生を行うことができる。
【００６５】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００６６】
なお、ここではＬ０〜Ｌ５記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅを主成分とすることが好ましい。
【００６７】
第１中間層群１６は、第１表面１０Ａから遠い側から順番にＬ０〜Ｌ４中間層１６Ａ〜１６Ｅを有しており、Ｌ０〜Ｌ５記録再生層１４Ａ〜１４Ｆの間に積層される。各中間層１６Ａ〜１６Ｅは、アクリル系またはエポキシ系の紫外線硬化型樹脂によって構成される。このＬ０〜Ｌ４中間層１６Ａ〜１６Ｅの膜厚は、積層数を増大させるためには２０μｍ以下に設定することが好ましく、Ｌ０中間層１６Ａが１６μｍ、Ｌ１中間層１６Ｂが１２μｍ、Ｌ２中間層１６Ｃが１６μｍ、Ｌ３中間層１６Ｄが１２μｍ、Ｌ４中間層１６Ｅが１６μｍとなる。つまり、２種類の膜厚（１６μｍ、１２μｍ）の中間層が交互に積層されている。この結果、Ｌ０〜Ｌ５記録再生層１４Ａ〜１４Ｆの層間距離として、光入射面側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての中間層群１６の膜厚を同じに設定しても良い。
【００６８】
第１カバー層１１は、第１中間層群１６と同様に光透過性のアクリル系の紫外線硬化型樹脂により構成されており、４０μｍの膜厚に設定されている。
【００６９】
支持基板１２における第２表面３０Ａ側に形成される第２バッファ層３７は、光透過性のアクリル系の紫外線硬化型樹脂により構成されており、膜厚が２３８μｍに設定されている。
【００７０】
第２バッファ層３７の第２表面３０Ａ側に積層される第２記録再生層群３４（Ｌ０〜Ｌ５記録再生層３４Ａ〜３４Ｆ）は、それぞれ、追記型記録膜の両外側に誘電体膜を積層した３層構造となっている（図示省略）。なお、このＬ０〜Ｌ５記録再生層３４Ａ〜３４Ｆは、第２光ピックアップ９０Ｂの記録再生用光学系１００Ｂにおける青色波長領域（短い波長）のビーム１７０Ｂに対して光反射率・吸収率・透過率等が最適化されている。
【００７１】
第２中間層群３６は、第２表面３０Ａから遠い側から順番にＬ０〜Ｌ４中間層３６Ａ〜３６Ｅを有しており、Ｌ０〜Ｌ５記録再生層３４Ａ〜３４Ｆの間に積層される。各中間層３６Ａ〜３６Ｅは、アクリル系またはエポキシ系の紫外線硬化型樹脂によって構成される。この中間層３６Ａ〜３６Ｅの膜厚は、積層数を増大させるためには２０μｍ以下に設定することが好ましく、Ｌ０中間層３６Ａが１６μｍ、Ｌ１中間層３６Ｂが１２μｍ、Ｌ２中間層３６Ｃが１６μｍ、Ｌ３中間層３６Ｄが１２μｍ、Ｌ４中間層３６Ｅが１６μｍとなる。つまり、２種類の膜厚（１６μｍ、１２μｍ）の中間層が交互に積層されている。この結果、Ｌ０〜Ｌ５記録再生層３４Ａ〜３４Ｆの層間距離として、第２表面３０Ａ側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。勿論、全ての第２中間層群３６の膜厚を同じに設定しても良い。
【００７２】
なお、第２記録再生層群３４、第２中間層群３６の材料などは、第１記録再生層群１４及び第１中間層群１６と同じであるので、説明は省略する。
【００７３】
第２カバー層３１は、第２中間層群３６と同様に光透過性のアクリル系の紫外線硬化型樹脂により構成されており、４０μｍの膜厚に設定されている。
【００７４】
上記のように構成される結果、光記録媒体１０における支持基板１２と第１バッファ層１７との境界（サーボ層１８）は、第１表面１０Ａから３５０μｍの距離に位置する。また、第１記録再生層群１４の中で第１表面１０Ａから最も遠いＬ０記録再生層１４Ａは、第１表面１０Ａから１１２μｍの距離に位置しており、Ｌ１記録再生層１４Ｂは第１表面１０Ａから９６μｍ、Ｌ２記録再生層１４Ｃは第１表面１０Ａから８４μｍ、Ｌ３記録再生層１４Ｄは第１表面１０Ａから６８μｍ、Ｌ４記録再生層１４Ｅは第１表面１０Ａから５６μｍ、そして、第１表面１０Ａに最も近いＬ５記録再生層１４Ｆは、第１表面１０Ａから４０μｍの距離に位置する。また、第１記録再生層群１４の全体的な厚み（Ｌ０記録再生層１４Ａ〜Ｌ５記録再生層１４Ｆ間の距離）は７２μｍとなる。。
【００７５】
また、第２記録再生層群３４の中で第２表面３０Ａから最も遠いＬ０記録再生層３４Ａは、第２表面３０Ａから１１２μｍの距離に位置しており、Ｌ１記録再生層３４Ｂは第２表面３０Ａから９６μｍ、Ｌ２記録再生層３４Ｃは第２表面３０Ａから８４μｍ、Ｌ３記録再生層３４Ｄは第２表面３０Ａから６８μｍ、Ｌ４記録再生層３４Ｅは第２表面３０Ａから５６μｍ、そして、第２表面３０Ａに最も近いＬ５記録再生層３４Ｆは、第２表面３０Ａから４０μｍの距離に位置する。また、第２記録再生層群３４の全体的な厚み（Ｌ０記録再生層３４Ａ〜Ｌ５記録再生層３４Ｆ間の距離）は７２μｍとなる。
【００７６】
即ち、この光記録媒体１０は、サーボ層１８が非対称に配置されることを除けば、厚さ方向に対称構造となっている。結果、光記録媒体１０を製造時に生じる内部応力が、厚さ方向に対称に発生することから、反りや変形を小さくすることが可能になる。特に、支持基板１２を７００μｍ以下、ここでは１００μｍまで薄くしても、光記録媒体１０の反りや変形量を抑制することが可能となる。
【００７７】
次に、本実施形態の光記録媒体１０の製造方法について説明する。
【００７８】
図５Ａに示されるように、まず、金属スタンパを用いたポリカーボネイト樹脂の射出成型法により、片面のみにグルーブおよびランドが形成された支持基板１２を作製する。射出成形の型を利用して、この支持基板１２には、第１記録再生層群１４及び第２記録再生層群３４のアドレス情報、記録再生パワー等を含む記録条件、各記録再生層の位置又は層間距離など、媒体製造時に予め保持させておくべき基本情報がプリフォーマットされる。具体的には、ランド１８Ａ又はグルーブ１８Ｂのウォブルを利用して、基本情報がプリフォームされる。なお、支持基板１２の作製は射出成型法に限られず、２Ｐ法や他の方法によって作製しても構わない。
【００７９】
その後、支持基板１２におけるグルーブ及びランドが設けられた側の表面にサーボ層１８を形成する。サーボ層１８は、トラッキング用光学系２００Ａの光源に対して反射性のある膜（例えばＡｌやＡｇ等の金属膜）をスパッタリング法などによって形成する。
【００８０】
次に、図５Ｂに示されるように、このサーボ層１８が形成された支持基板１２の両面に、第１バッファ層１７及び第２バッファ層３７を同時形成する。例えば、粘度調整されたアクリル系またはエポキシ系の紫外線硬化型樹脂をスピンコート法等により支持基板１２の両面に皮膜化、これに対して紫外線を照射して硬化することにより、第１、第２バッファ層１７、３７を形成する。なお、紫外線硬化性樹脂の代わりに、光透過性樹脂からなる光透過性シートを接着剤や粘着剤等を用いて支持基板１２の両面に貼り付けて、第１、第２バッファ層１７、３７とすることもできる。他にもスプレー、ＤＩＰ法などによって支持基板１２の両面に第１、第２バッファ層１７、３７を形成することもできる。
【００８１】
次に、図５Ｃに示されるように、第１バッファ層１７と第２バッファ層３７のそれぞれの上に、第１記録再生層群１４のＬ０記録再生層１４Ａと、第２記録再生層群３４のＬ０記録再生層３４Ａを同時に形成する。具体的には、誘電体膜、追記型記録膜、誘電体膜の順に気相成長法を用いて形成する。中でもスパッタリング法を用いることが好ましい。その後、第１記録再生層群１４のＬ０記録再生層１４Ａの上に、第１中間層群１６のＬ０中間層１６Ａを形成し、第２記録再生層群３４のＬ０記録再生層３４Ａの上に第２中間層群３６のＬ０中間層３６Ａを形成する。これらの形成も同時に行われる。なお、Ｌ０中間層１６Ａ、３４Ａは、例えば、粘度調整された紫外線硬化型樹脂をスピンコート法等により皮膜化し、その後、この紫外線硬化性樹脂に紫外線を照射して硬化することにより形成する。この手順を繰り返すことで、第１バッファ層１７側には第１記録再生層群１４及び第１中間層群１６が交互に積層され、第２バッファ層３７側には第２記録再生層群３４及び第２中間層群３６が交互に積層されていく。
【００８２】
第１記録再生層群１４のＬ５記録再生層１４Ｆの形成と、第２記録再生層群３４のＬ５記録再生層３４Ｆの形成まで完成したら、図５Ｄに示されるように、その上に第１及び第２カバー層１１、３１を同時に形成してこの光記録媒体１０が完成する。この第１、第２カバー層１１、３１は、例えば、粘度調整されたアクリル系またはエポキシ系の紫外線硬化型樹脂をスピンコート法等により皮膜し、これに対して紫外線を照射して硬化することにより形成する。なお、本実施形態では上記製造方法を説明したが、本発明は上記製造方法に特に限定されるものではなく、他の製造技術を採用することもできる。
【００８３】
次に、本実施形態の光記録再生装置７０を用いて、光記録媒体１０に情報を記録再生する光記録再生方法について説明する。本実施形態の光記録再生方法では、第１記録再生層１４における第１表面１０Ａ側からの積層順位と、第２記録再生層３４における光記録媒体１０の厚さ方向の中心側からの積層順位が同じになるような一対の記録再生層に対して情報を同時に記録する。
【００８４】
例えば本実施形態では、第１記録事例から第４記録事例までとなる合計４対の記録再生層に対して情報を順番に記録していく場合を例示する。第１記録事例では、第１記録再生層１４における第１表面１０Ａ側から１番目の積層順位となるＬ５記録再生層１４Ｆと、第２記録再生層３４における光記録媒体１０の厚さ方向の中心側から１番目の積層順位となるＬ０記録再生層３４Ａに対して情報を同時に記録する。第２記録事例では、第１記録再生層１４における第１表面１０Ａ側から３番目の積層順位となるＬ３記録再生層１４Ｄと、第２記録再生層３４における光記録媒体１０の厚さ方向の中心側から３番目の積層順位となるＬ２記録再生層３４Ｃに対して情報を同時に記録する。第３記録事例では、第１記録再生層１４における第１表面１０Ａ側から４番目の積層順位となるＬ２記録再生層１４Ｃと、第２記録再生層３４における光記録媒体１０の厚さ方向の中心側から４番目の積層順位となるＬ３記録再生層３４Ｄに対して情報を同時に記録する。第４記録事例では、第１記録再生層１４における第１表面１０Ａ側から６番目の積層順位となるＬ０記録再生層１４Ａと、第２記録再生層３４における光記録媒体１０の厚さ方向の中心側から６番目の積層順位となるＬ５記録再生層３４Ｆに対して情報を同時に記録する。
【００８５】
＜第１記録事例／Ｌ５記録再生層１４ＦとＬ０記録再生層３４Ａの同時記録＞
【００８６】
＜ＯＰＣ制御＞
光記録媒体１０に情報を記録する前に、図６のフローチャートに沿って、この光記録再生装置７０の記録パワーを設定する。
【００８７】
まずステップ３００において、出力制御手段８６によって、光記録媒体１０のＤＩ（Ｄｉｓｃ  Ｉｎｆｏｍａｔｉｏｎ）領域を再生して、光記録媒体１０の基本特性情報を読み取る。このＤＩ領域には、媒体の種類（追記型か書換型等）、記録スピード（１Ｘ、２Ｘ等）、記録ストラテジ、サーボ層１８の位置、記録再生層の位置、記録再生層の層間距離のほか、レーザービームの推奨記録パワーＰＫも記録される。従って、この推奨記録パワーＰＫを初期の記録条件として設定する（ステップ３０２）。なお、本実施形態では、このＤＩ領域がサーボ層１８に形成されている。従って、第１光ピックアップ９０Ａの赤色波長領域のビーム２７０Ａによって、サーボ層１８からこれらの情報を読み出す。
【００８８】
次にステップ３０４において、出力制御装置８６は、メモリ手段８７Ａを参照して、Ｌ５記録再生層１４Ｆに記録するための第１光ピックアップ９０Ａの最適記録パワーが、既にＯＰＣによって決定済みであるか否かを判定し、既に決定している場合には、ステップ３０６に進んで、その最適記録パワーを今回の記録にも適用する。なお、第１記録事例では、最適記録パワーは未決定状態となる。
【００８９】
Ｌ５記録再生層１４Ｆに対する第１光ピックアップ９０Ａの最適記録パワーが未決定の場合には、ステップ３０８に進んで、Ｌ５記録再生層１４Ｆと厚さ方向の中心側から同じ積層順位となるＬ５記録再生層３４Ｆ（即ち、中心から対称位置にある記録再生層）に記録する為の第２光ピックアップ９０Ｂの最適記録パワーが、既にＯＰＣによって決定済みであるか否かをメモリ手段８７Ａを参照することによって判定する。Ｌ５記録再生層３４Ｆ用の最適記録パワーが既に決定している場合は、ステップ３１０に進んで、その最適記録パワーを、第１記録再生層群１４のＬ５記録再生層１４Ｆに対する第１光ピックアップ９０Ａの最適記録パワーに適用する。
【００９０】
一方、ステップ３０８において、Ｌ５記録再生層３４Ｆ用の最適記録パワーも未決定の場合は、ステップ３１２に進んで、このＬ５記録再生層１４Ｆの試し書き領域Ｘに対してパワー設定用パターン（ここではランダムパターン）を記録する（図７（Ａ）参照）。なお、第１記録事例では、Ｌ５記録再生層３４Ｆ用の最適記録パワーも未決定状態となることから、ステップ３１２の試し書き作業に移行することになる。
【００９１】
この場合、図８に示されるように、実際に記録する記録パワーに関して、推奨記録パワーＰＫを基準として強弱双方側に多段階（ＰＫ＋１、ＰＫ＋２、ＰＫ＋３、ＰＫ−１、ＰＫ−２、ＰＫ−３）で変化させて、記録パワー毎にパワー設定用パターンの書き込み作業を実行する。なお、Ｌ５記録再生層１４Ｆの試し書き領域Ｘに対してパワー設定用パターンを記録する際の具体的な方法は、後述する第１記録再生動作で詳細に説明することから、ここでの説明を省略する。
【００９２】
その後、ステップ３１４において、記録されたパワー設定用パターンを、特に図示しないＰＲＭＬ処理装置を利用して再生し、ステップ３１６において、品質評価手段８８により、そのエラーレート又はＳＡＭ値を利用して再生信号の品質を評価する。この評価結果は、試し書き手段８７に伝達される。ステップ３１８において、試し書き手段８７は、最高品質の記録が行われた記録パワーを選定し、これを参考にして、第１光ピックアップ９０Ａの光源１０１Ａの記録パワーＰｗ、消去パワーＰｅ、バイアスパワーＰｂを決定して、記録パワー調整手段８９に指示する。以上のステップによって、Ｌ５記録再生層１４Ｆ用の最適記録パワーの設定が完了する。なお、これらの手順によって決定されたＬ５記録再生層１４Ｆ用の最適記録パワーは、メモリ手段８７Ａに蓄積される。
【００９３】
次に、ステップ３２０の判定を経て上記ステップ３０２に戻り、上述と同じ手順に沿って、Ｌ０記録再生層３４Ａに記録するための第２光ピックアップ９０Ｂの最適記録パワーを設定する。具体的には、ステップ３０４において、出力制御装置８６は、メモリ手段８７Ａを参照して、Ｌ０記録再生層３４Ａに記録するための第２光ピックアップ９０Ｂの最適記録パワーが、既にＯＰＣによって決定済みであるか否かを判定し、既に決定している場合には、ステップ３０６に進んで、その最適記録パワーを今回の記録にも適用する。なお、第１記録事例では、最適記録パワーは未決定状態となる。
【００９４】
Ｌ０記録再生層３４Ａに対する第２光ピックアップ９０Ｂの最適記録パワーが未決定の場合には、ステップ３０８に進んで、Ｌ０記録再生層３４Ａと厚さ方向の中心側から同じ積層順位となるＬ０記録再生層１４Ａに記録する為の第１光ピックアップ９０Ａの最適記録パワーが、既にＯＰＣによって決定済みであるか否かをメモリ手段８７Ａを参照することによって判定する。Ｌ０記録再生層１４Ａ用の最適記録パワーが既に決定している場合は、ステップ３１０に進んで、その最適記録パワーを、第２記録再生層群３４のＬ０記録再生層３４Ａに対する第２光ピックアップ９０Ｂの最適記録パワーに適用する。
【００９５】
一方、ステップ３０８において、Ｌ０記録再生層１４Ａに記録する為の第１光ピックアップ９０Ａの最適記録パワーも未決定の場合は、ステップ３１２に進んで、Ｌ０記録再生層３４Ａの試し書き領域Ｘに対してパワー設定用パターン（ここではランダムパターン）を記録する。なお、第１記録事例では、Ｌ０記録再生層１４Ａに記録する為の第１光ピックアップ９０Ａの最適記録パワーも未決定状態となるので、ステップ３１２の試し書き作業に移行する（図７（Ａ）参照）。
【００９６】
その後、ステップ３１４において、記録されたパワー設定用パターンを、特に図示しないＰＲＭＬ処理装置を利用して再生し、ステップ３１６において、品質評価手段８８により再生信号の品質を評価し、ステップ３１８において、Ｌ０記録再生層３４Ａに対する第２光ピックアップ９０Ｂの光源１０１Ｂの最適記録パワーが決定される。以上のステップによって決定されたＬ０記録再生層３４Ａ用の最適記録パワーは、メモリ手段８７Ａに蓄積される。
【００９７】
＜Ｌ５記録再生層１４ＦとＬ０記録再生層３４Ａへの情報の同時記録＞
【００９８】
既に述べたように、本実施形態では、第１記録再生層１４における第１表面１０Ａ側からの積層順位と、第２記録再生層３４における光記録媒体１０の厚さ方向の中心側からの積層順位が同じになるような一対の記録再生層に対して情報を同時に記録する。具体的に、第１記録再生動作として、第１記録再生層群１４のＬ５記録再生層１４Ｆに情報を記録する為には、まず、第１光ピックアップ９０Ａのトラッキング用光学系２００Ａの赤色波長領域のビーム２７０Ａをサーボ層１８に照射してトラッキングを行う。具体的には、図９（Ａ）に示されるように、サーボ層１８におけるグルーブ１８Ｂ及びランド１８Ａの双方に対して、ビーム２７０Ａのスポットを照射してトラッキングを行う。トラッキングと同時に、第１光ピックアップ９０Ａの記録再生用光学系１００Ａの青色波長領域の記録用ビーム１７０ＡをＬ５記録再生層１４Ｆに照射する。
【００９９】
その結果、グルーブ１８Ｂ及びランド１８Ａをトラッキングしながら、このグルーブ１８Ｂ及びランド１８Ａに沿って、Ｌ５記録再生層１４Ｆに情報が記録される。結果、Ｌ５記録再生層１４Ｆに形成される記録マークのトラックピッチＰ２は、グルーブ１８Ｂ間のピッチＰ１の半分になる。
【０１００】
また、第２記録再生動作として、第２記録再生層群３４のＬ０記録再生層３４Ａに情報を記録する場合、上記第１光ピックアップ９０Ａのトラッキング用光学系２００Ａのトラッキング誤差信号を利用して、第２光ピックアップ９０Ｂのトラッキング制御を行う。結果、第１光ピックアップ９０Ａと第２光ピックアップ９０Ｂは、トラッキング方向に対して常に同位置に存在する。トラッキングと同時に、第２光ピックアップ９０Ｂの記録再生用光学系１００Ｂの青色波長領域の記録用ビーム１７０ＢをＬ０記録再生層３４Ａに照射する。この結果、Ｌ０記録再生層３４Ａに情報が記録される。Ｌ０記録再生層３４Ａに形成される記録マークのトラックピッチＰ２も、サーボ層１８のグルーブ間のピッチＰ１の半分となる。
【０１０１】
以上の第１記録再生動作と第２記録再生動作を同時並行的に進めることで、第１、第２記録再生層群１４、３４に対する情報の同時記録が実現される。この同時記録を行う際の記録パワーＰｗ、消去パワーＰｅ、バイアスパワーＰｂは、上述のＯＰＣ作業によって設定されたものとなる。
【０１０２】
なお、第１記録再生層群１４のＬ０記録再生層１４Ａと、第２記録再生層群３４のＬ０記録再生層３４Ａに対して、必要な情報の記録が完了した後は、今回の追記情報（記録に関するアドレス情報、コンテンツ情報等）を、このＬ０記録再生層１４Ａ、３４Ａの一部に予め確保される管理領域に同時に記録しておく。
【０１０３】
＜第２記録事例／Ｌ３記録再生層１４ＤとＬ２記録再生層３４Ｃの同時記録＞
【０１０４】
＜ＯＰＣ制御＞
図６のフローチャートに沿って、この光記録再生装置７０の記録パワーを設定する。
【０１０５】
まずステップ３００において、出力制御手段８６によって、光記録媒体１０のＤＩ（Ｄｉｓｃ  Ｉｎｆｏｍａｔｉｏｎ）領域を再生して、光記録媒体１０の基本特性情報を読み取り、この推奨記録パワーＰＫを初期の記録条件として設定する（ステップ３０２）。
【０１０６】
次にステップ３０４において、出力制御装置８６は、メモリ手段８７Ａを参照して、Ｌ３記録再生層１４Ｄに記録するための第１光ピックアップ９０Ａの最適記録パワーが、既にＯＰＣによって決定済みであるか否かを判定し、既に決定している場合には、ステップ３０６に進んで、その最適記録パワーを今回の記録にも適用する。なお、第２記録事例では、最適記録パワーは未決定状態となる。
【０１０７】
Ｌ３記録再生層１４Ｄに対する第１光ピックアップ９０Ａの最適記録パワーが未決定の場合には、ステップ３０８に進んで、Ｌ３記録再生層１４Ｄと厚さ方向の中心側から同じ積層順位となるＬ３記録再生層３４Ｄ（即ち、中心から対称位置にある記録再生層）に記録する為の第２光ピックアップ９０Ｂの最適記録パワーが、既にＯＰＣによって決定済みであるか否かをメモリ手段８７Ａを参照することによって判定する。Ｌ３記録再生層３４Ｄ用の最適記録パワーが既に決定している場合は、ステップ３１０に進んで、その最適記録パワーを、第１記録再生層群１４のＬ３記録再生層１４Ｄに対する第１光ピックアップ９０Ａの最適記録パワーに適用する。
【０１０８】
一方、ステップ３０８において、Ｌ３記録再生層３４Ｄ用の最適記録パワーも未決定の場合は、ステップ３１２に進んで、このＬ３記録再生層１４Ｄの試し書き領域Ｘに対してパワー設定用パターン（ここではランダムパターン）を記録する（図７（Ｂ）参照）。なお、第２記録事例では、Ｌ３記録再生層３４Ｄ用の最適記録パワーも未決定状態となることから、ステップ３１２の試し書き作業に移行することになる。
【０１０９】
その後、ステップ３１４において、記録されたパワー設定用パターンを再生し、ステップ３１６において、品質評価手段８８により再生信号の品質を評価し、ステップ３１８において、試し書き手段８７が第１光ピックアップ９０Ａの最適記録パワーを決定する。なお、これらの手順によって決定されたＬ３記録再生層１４Ｄ用の最適記録パワーは、メモリ手段８７Ａに蓄積される。
【０１１０】
次に、上記ステップ３０２に戻って、上述と同じ手順に沿って、Ｌ２記録再生層３４Ｃに記録するための第２光ピックアップ９０Ｂの最適記録パワーを設定する。具体的には、ステップ３０４において、出力制御装置８６は、メモリ手段８７Ａを参照して、Ｌ２記録再生層３４Ｃに記録するための第２光ピックアップ９０Ｂの最適記録パワーが、既にＯＰＣによって決定済みであるか否かを判定し、既に決定している場合には、ステップ３０６に進んで、その最適記録パワーを今回の記録にも適用する。なお、第２記録事例では、最適記録パワーは未決定状態となる。
【０１１１】
Ｌ２記録再生層３４Ｃに対する第２光ピックアップ９０Ｂの最適記録パワーが未決定の場合には、ステップ３０８に進んで、Ｌ２記録再生層３４Ｃと厚さ方向の中心側から同じ積層順位となるＬ２記録再生層１４Ｃに記録する為の第１光ピックアップ９０Ａの最適記録パワーが、既にＯＰＣによって決定済みであるか否かをメモリ手段８７Ａを参照することによって判定する。Ｌ２記録再生層１４Ｃ用の最適記録パワーが既に決定している場合には、ステップ３１０に進んで、その最適記録パワーを、第２記録再生層群３４のＬ２記録再生層３４Ｃに対する第２光ピックアップ９０Ｂの最適記録パワーに適用する。
【０１１２】
一方、ステップ３０８において、Ｌ２記録再生層１４Ｃ用の最適記録パワーも未決定の場合は、ステップ３１２に進んで、このＬ２記録再生層３４Ｃの試し書き領域Ｘに対してパワー設定用パターン（ここではランダムパターン）を記録する。なお、第２記録事例では、Ｌ２記録再生層１４Ｃ用の最適記録パワーも未決定状態となることから、ステップ３１２の試し書き作業に移行することになる（図７（Ｂ）参照）。
【０１１３】
その後、ステップ３１４において、記録されたパワー設定用パターンを、特に図示しないＰＲＭＬ処理装置を利用して再生し、ステップ３１６において、品質評価手段８８により再生信号の品質を評価し、ステップ３１８において、Ｌ２記録再生層３４Ｃように対する第２光ピックアップ９０Ｂの光源１０１Ｂの最適記録パワーが決定される。以上のステップによって決定されたＬ２記録再生層３４Ｃ用の最適記録パワーは、メモリ手段８７Ａに蓄積される。
【０１１４】
＜Ｌ３記録再生層１４ＤとＬ２記録再生層３４Ｃへの情報の同時記録＞
【０１１５】
第１記録再生動作として、第１光ピックアップ９０Ａのトラッキング用光学系２００Ａの赤色波長領域のビーム２７０Ａをサーボ層１８に照射してトラッキングを行いながら、第１光ピックアップ９０Ａの記録再生用光学系１００Ａの青色波長領域の記録用ビーム１７０ＡをＬ３記録再生層１４Ｄに照射して、情報を記録する。
【０１１６】
また、第２記録再生動作として、上記第１光ピックアップ９０Ａのトラッキング用光学系２００Ａのトラッキング誤差信号を利用して、第２光ピックアップ９０Ｂのトラッキング制御を行いながら、この第２光ピックアップ９０Ｂの記録再生用光学系１００Ｂの青色波長領域の記録用ビーム１７０ＢをＬ２記録再生層３４Ｃに照射して情報を記録する。
【０１１７】
以上の第１記録再生動作と第２記録再生動作を同時並行的に進めることで、第１、第２記録再生層群１４、３４に対する情報の同時記録が実現される（図９（Ｂ）参照）。この同時記録を行う際の記録パワーＰｗ、消去パワーＰｅ、バイアスパワーＰｂは、上述のＯＰＣ作業によって設定されたものとなる。
【０１１８】
＜第３記録事例／Ｌ２記録再生層１４ＣとＬ３記録再生層３４Ｄの同時記録＞
【０１１９】
＜ＯＰＣ制御＞
図６のフローチャートに沿って、この光記録再生装置７０の記録パワーを設定する。
【０１２０】
まずステップ３００において、出力制御手段８６によって、光記録媒体１０のＤＩ（Ｄｉｓｃ  Ｉｎｆｏｍａｔｉｏｎ）領域を再生して、光記録媒体１０の基本特性情報を読み取り、この推奨記録パワーＰＫを初期の記録条件として設定する（ステップ３０２）。
【０１２１】
次にステップ３０４において、出力制御装置８６は、メモリ手段８７Ａを参照して、Ｌ２記録再生層１４Ｃに記録するための第１光ピックアップ９０Ａの最適記録パワーが、既にＯＰＣによって決定済みであるか否かを判定し、既に決定している場合には、ステップ３０６に進んで、その最適記録パワーを今回の記録にも適用する。なお、第３記録事例では、最適記録パワーは未決定状態となる。
【０１２２】
Ｌ２記録再生層１４Ｃに対する第１光ピックアップ９０Ａの最適記録パワーが未決定の場合には、ステップ３０８に進んで、Ｌ２記録再生層１４Ｃと厚さ方向の中心側から同じ積層順位となるＬ２記録再生層３４Ｃ（即ち、中心から対称位置にある記録再生層）に記録する為の第２光ピックアップ９０Ｂの最適記録パワーが、既にＯＰＣによって決定済みであるか否かをメモリ手段８７Ａを参照することによって判定する。Ｌ２記録再生層３４Ｃ用の最適記録パワーが既に決定している場合は、ステップ３１０に進んで、その最適記録パワーを、第１記録再生層群１４のＬ２記録再生層１４Ｃに対する第１光ピックアップ９０Ａの最適記録パワーに適用する。
【０１２３】
なお、本実施形態では、第２記録事例において、既にＬ２記録再生層３４Ｃに記録する為の第２光ピックアップ９０Ｂの最適記録パワーがメモリ手段８７Ａに蓄積されている。結果、ステップ３１０によって、この最適記録パワーを、Ｌ２記録再生層１４Ｃに対する第１光ピックアップ９０Ａの最適記録パワーに採用できる。従って、ステップ３１２〜ステップ３１８による試し書き作業が省略される（図７（Ｃ）参照）。
【０１２４】
以上のステップによって決定されたＬ２記録再生層１４Ｃ用の最適記録パワーは、メモリ手段８７Ａに蓄積される。
【０１２５】
次に、ステップ３０２に戻って、上述と同じ手順に沿って、Ｌ３記録再生層３４Ｄに記録するための第２光ピックアップ９０Ｂの最適記録パワーを設定する。具体的には、ステップ３０４において、出力制御装置８６は、メモリ手段８７Ａを参照して、Ｌ３記録再生層３４Ｄに記録するための第２光ピックアップ９０Ｂの最適記録パワーが、既にＯＰＣによって決定済みであるか否かを判定し、既に決定している場合には、ステップ３０６に進んで、その最適記録パワーを今回の記録にも適用する。なお、第３記録事例では、最適記録パワーは未決定状態となる。
【０１２６】
Ｌ３記録再生層３４Ｄに対する第２光ピックアップ９０Ｂの最適記録パワーが未決定の場合には、ステップ３０８に進んで、Ｌ３記録再生層３４Ｄと厚さ方向の中心側から同じ積層順位となるＬ３記録再生層１４Ｄに記録する為の第１光ピックアップ９０Ａの最適記録パワーが、既にＯＰＣによって決定済みであるか否かをメモリ手段８７Ａを参照することによって判定する。Ｌ３記録再生層１４Ｄ用の最適記録パワーが既に決定している場合には、ステップ３１０に進んで、その最適記録パワーを、第２記録再生層群３４のＬ３記録再生層３４Ｄに対する第２光ピックアップ９０Ｂの最適記録パワーに適用する。
【０１２７】
なお、本実施形態では、第２記録事例において、既にＬ３記録再生層１４Ｄに記録する為の第１光ピックアップ９０Ａの最適記録パワーがメモリ手段８７Ａに蓄積されている。結果、ステップ３１０によって、この最適記録パワーを、Ｌ３記録再生層３４Ｄに対する第２光ピックアップ９０Ｂの最適記録パワーに採用できる。従って、ステップ３１２〜ステップ３１８による試し書き作業が省略される（図７（Ｃ）参照）。
【０１２８】
以上のステップによって決定されたＬ３記録再生層３４Ｄ用の最適記録パワーは、メモリ手段８７Ａに蓄積される。
【０１２９】
＜Ｌ２記録再生層１４ＣとＬ３記録再生層３４Ｄへの情報の同時記録＞
【０１３０】
第１記録再生動作として、第１光ピックアップ９０Ａのトラッキング用光学系２００Ａの赤色波長領域のビーム２７０Ａをサーボ層１８に照射してトラッキングを行いながら、第１光ピックアップ９０Ａの記録再生用光学系１００Ａの青色波長領域の記録用ビーム１７０ＡをＬ２記録再生層１４Ｃに照射して、情報を記録する。
【０１３１】
また、第２記録再生動作として、上記第１光ピックアップ９０Ａのトラッキング用光学系２００Ａのトラッキング誤差信号を利用して、第２光ピックアップ９０Ｂのトラッキング制御を行いながら、この第２光ピックアップ９０Ｂの記録再生用光学系１００Ｂの青色波長領域の記録用ビーム１７０ＢをＬ３記録再生層３４Ｄに照射して情報を記録する。
【０１３２】
以上の第１記録再生動作と第２記録再生動作を同時並行的に進めることで、第１、第２記録再生層群１４、３４に対する情報の同時記録が実現される（図９（Ｃ）参照）。この同時記録を行う際の記録パワーＰｗ、消去パワーＰｅ、バイアスパワーＰｂは、上述のＯＰＣ作業によって設定されたものとなる。
【０１３３】
＜第４記録事例／Ｌ０記録再生層１４ＡとＬ５記録再生層３４Ｆの同時記録＞
【０１３４】
＜ＯＰＣ制御＞
図６のフローチャートに沿って、この光記録再生装置７０の記録パワーを設定する。
【０１３５】
まずステップ３００において、出力制御手段８６によって、光記録媒体１０のＤＩ（Ｄｉｓｃ  Ｉｎｆｏｍａｔｉｏｎ）領域を再生して、光記録媒体１０の基本特性情報を読み取り、この推奨記録パワーＰＫを初期の記録条件として設定する（ステップ３０２）。
【０１３６】
次にステップ３０４において、出力制御装置８６は、メモリ手段８７Ａを参照して、Ｌ０記録再生層１４Ａに記録するための第１光ピックアップ９０Ａの最適記録パワーが、既にＯＰＣによって決定済みであるか否かを判定し、既に決定している場合には、ステップ３０６に進んで、その最適記録パワーを今回の記録にも適用する。なお、第４記録事例では、最適記録パワーは未決定状態となる。
【０１３７】
Ｌ０記録再生層１４Ａに対する第１光ピックアップ９０Ａの最適記録パワーが未決定の場合には、ステップ３０８に進んで、Ｌ０記録再生層１４Ａと厚さ方向の中心側から同じ積層順位となるＬ０記録再生層３４Ａ（即ち、中心から対称位置にある記録再生層）に記録する為の第２光ピックアップ９０Ｂの最適記録パワーが、既にＯＰＣによって決定済みであるか否かをメモリ手段８７Ａを参照することによって判定する。Ｌ０記録再生層３４Ａ用の最適記録パワーが既に決定している場合は、ステップ３１０に進んで、その最適記録パワーを、第１記録再生層群１４のＬ０記録再生層１４Ａに対する第１光ピックアップ９０Ａの最適記録パワーに適用する。
【０１３８】
なお本実施形態では、第１記録事例において、既にＬ０記録再生層３４Ａに記録する為の第２光ピックアップ９０Ｂの最適記録パワーがメモリ手段８７Ａに蓄積されている。結果、ステップ３１０によって、この最適記録パワーを、Ｌ０記録再生層１４Ａに対する第１光ピックアップ９０Ａの最適記録パワーに採用できる。従って、ステップ３１２〜ステップ３１８による試し書き作業が省略される（図７（Ｄ）参照）。
【０１３９】
以上のステップによって決定されたＬ０記録再生層１４Ａ用の最適記録パワーは、メモリ手段８７Ａに蓄積される。
【０１４０】
次に、ステップ３０２に戻って、上述と同じ手順に沿って、Ｌ５記録再生層３４Ｆに記録するための第２光ピックアップ９０Ｂの最適記録パワーを設定する。具体的には、ステップ３０４において、出力制御装置８６は、メモリ手段８７Ａを参照して、Ｌ５記録再生層３４Ｆに記録するための第２光ピックアップ９０Ｂの最適記録パワーが、既にＯＰＣによって決定済みであるか否かを判定し、既に決定している場合には、ステップ３０６に進んで、その最適記録パワーを今回の記録にも適用する。なお、第４記録事例では、最適記録パワーは未決定状態となる。
【０１４１】
Ｌ５記録再生層３４Ｆに対する第２光ピックアップ９０Ｂの最適記録パワーが未決定の場合には、ステップ３０８に進んで、Ｌ５記録再生層３４Ｆと厚さ方向の中心側から同じ積層順位となるＬ５記録再生層１４Ｆに記録する為の第１光ピックアップ９０Ａの最適記録パワーが、既にＯＰＣによって決定済みであるか否かをメモリ手段８７Ａを参照することによって判定する。Ｌ５記録再生層１４Ｆ用の最適記録パワーが既に決定している場合には、ステップ３１０に進んで、その最適記録パワーを、第２記録再生層群３４のＬ５記録再生層３４Ｆに対する第２光ピックアップ９０Ｂの最適記録パワーに適用する。
【０１４２】
なお、本実施形態では、第１記録事例において、既にＬ５記録再生層１４Ｆに記録する為の第１光ピックアップ９０Ａの最適記録パワーがメモリ手段８７Ａに蓄積されている。結果、ステップ３１０によって、この最適記録パワーを、Ｌ５記録再生層３４Ｆに対する第２光ピックアップ９０Ｂの最適記録パワーに採用できる。従って、ここでもステップ３１２〜ステップ３１８による試し書き作業が省略される（図７（Ｄ）参照）。
【０１４３】
以上のステップによって決定されたＬ５記録再生層３４Ｆ用の最適記録パワーは、メモリ手段８７Ａに蓄積される。
【０１４４】
＜Ｌ０記録再生層１４ＡとＬ５記録再生層３４Ｆへの情報の同時記録＞
【０１４５】
第１記録再生動作として、第１光ピックアップ９０Ａのトラッキング用光学系２００Ａの赤色波長領域のビーム２７０Ａをサーボ層１８に照射してトラッキングを行いながら、第１光ピックアップ９０Ａの記録再生用光学系１００Ａの青色波長領域の記録用ビーム１７０ＡをＬ０記録再生層１４Ａに照射して、情報を記録する。
【０１４６】
また、第２記録再生動作として、上記第１光ピックアップ９０Ａのトラッキング用光学系２００Ａのトラッキング誤差信号を利用して、第２光ピックアップ９０Ｂのトラッキング制御を行いながら、この第２光ピックアップ９０Ｂの記録再生用光学系１００Ｂの青色波長領域の記録用ビーム１７０ＢをＬ５記録再生層３４Ｆに照射して情報を記録する。
【０１４７】
以上の第１記録再生動作と第２記録再生動作を同時並行的に進めることで、第１、第２記録再生層群１４、３４に対する情報の同時記録が実現される（図９（Ｄ）参照）。この同時記録を行う際の記録パワーＰｗ、消去パワーＰｅ、バイアスパワーＰｂは、上述のＯＰＣ作業によって設定されたものとなる。
【０１４８】
なお、ここではＬ０記録再生層１４Ａ、３４Ａにおいて、管理領域を確保する場合を例示したが、他の記録再生層を利用することも可能である。また、サーボ層１８が記録膜を備える場合には、このサーボ層１８に管理領域を確保し、そこに追記情報を記録しておくことが好ましい。この記録は、トラッキング制御を行っているビーム２７０Ａを利用すれば良い。管理情報をサーボ層１８に集約させることで、第１記録再生層群１４と第２記録再生層群３４の双方の管理情報を同時に把握することも可能になる。
【０１４９】
また、ここでは、第１記録事例から第４記録事例に至る過程で、記録再生対象となる一対の記録再生層を選択する度にＯＰＣ制御を行う場合を例示したが、本発明はこれに限定されない。例えば、第１記録事例から第４記録事例で説明したＯＰＣ制御を予め実行しておくことで、記録再生対象となる４対の記録再生層の最適記録パワーを決定してメモリ手段８７Ａに蓄積しておき、その後に、第１記録事例から第４記録事例で示した記録動作のみを連続的に実行することも好ましい。このようにすると、複数の記録再生層に跨って情報を記録する際の転送レートの連続性を維持することができる。
【０１５０】
＜第１、第２記録再生層群の情報の同時再生＞
【０１５１】
本実施形態では、第１記録再生層群１４と第２記録再生層群３４に対して同時記録された情報を同時再生する。例えば図１０に示されるように、第１再生動作として、第１記録再生層群１４のＬ５記録再生層１４Ｆの情報を再生する際は、第１光ピックアップ９０Ａの記録再生用光学系１００Ａのビーム１７０ＡをＬ５記録再生層１４Ｆに照射して、トラッキング制御とフォーカス制御を行いながら再生を行う。
【０１５２】
また、第２再生動作として、第２記録再生層群３４のＬ０記録再生層３４Ａの情報を再生する際は、第２光ピックアップ９０Ｂの記録再生用光学系１００Ｂのビーム１７０ＢをＬ０記録再生層３４Ａに照射して、トラッキング制御とフォーカス制御を行いながら再生を行う。この第１再生動作と第２再生動作を同時並行的に進めることで、第１、第２記録再生層群１４、３４における情報の同時再生が実現される。なお、記録時は、サーボ層１８を利用してトラッキング制御を行ったが、同時再生の際は、それぞれの記録再生用光学系１００Ａ、１００Ｂを用いて、第１、第２光ピックアップ９０Ａ、９０Ｂのそれぞれを別々にトラッキング制御する。
【０１５３】
以上、本実施形態の光記録再生方法によれば、第１光ピックアップ９０Ａを用いた第１記録再生動作と、第２光ピックアップ９０Ｂを用いた第２記録再生動作を同時に実行することで、第１及び第２記録再生層群１４、３４に対して同時に情報を記録又は再生している。結果、記録又は再生時の転送レートを飛躍的に高めることが可能となる。
【０１５４】
特に本実施形態では、第１記録再生層１４における第１表面１０Ａ側からの積層順位と、第２記録再生層３４における光記録媒体１０の厚さ方向の中心側からの積層順位が同じになるような一対の記録再生層に対して情報を同時に記録する。これを一般化すれば、第１記録再生層群１４と第２記録再生層群３４の層数が共にＳ層（Ｓ：２以上の自然数）に設定されている場合、第１記録再生層群１４において、記録対称となる記録再生層の厚さ方向の中心からの積層順位（ここではＸ番）と、第２記録再生層群３４において、記録対象となる記録再生層の厚さ方向の中心から積層順位（ここではＹ番）の和（Ｘ＋Ｙ）が、常に（Ｓ＋１）となるように、同時記録を行う一対の記録再生層を選定すると考えることもできる。例えば本実施形態では、第１記録再生層群１４の中の記録対称となるＬ１記録再生層１４Ｂの厚さ方向の中心からの積層順位（ここでは２番）と、第２記録再生層群３４の中の記録対象となるＬ４記録再生層３４Ｅの厚さ方向の中心から積層順位（ここでは５番）の和が、常に７となるようにすれば良い。
【０１５５】
このようにすると、第１光ピックアップ９０Ａ側の記録再生用のビーム１７０Ａの焦点と、第２光ピックアップ９０Ｂ側の記録再生用のビーム１７０Ｂの焦点との焦点間距離Ｔ（図９参照）を、一定又は比較的安定させることができる。具体的に本実施形態では、図９の矢印Ｑに示されるように、ビーム１７０Ａの焦点は、第１表面１０Ａ側から中心側に向かって移動し、ビーム１７０Ｂの焦点は、中心側から第２表面３０Ａ側に向かって移動する。結果、一対のビーム１７０Ａ、１７０Ｂの焦点間距離Ｔは常に一定となり、その焦点間に存在する中間層群１６、３６の数も常に一定になる。従って、中間層群１６、３６の成膜誤差による焦点間距離Ｔの変動量を、一定の範囲内に収めることが可能となり、フォーカスエラー等を低減することに繋がる。特に、ビーム１７０Ａ、１７０Ｂが次の記録再生層にジャンプする際も、焦点間距離Ｔを固定させた状態で、ビーム１７０Ａ、１７０Ｂの焦点を同時に移動させれば、誤った記録再生層にジャンプする確率を低減できる。
【０１５６】
なお、本実施形態では、第１記録再生層群１４は第１表面１０Ａ側から中心側に向かって記録していき、第２記録再生層群３４は中心側から第２表面３０Ａ側に向かって記録していく場合を例示したが、本発明はこれに限定されない。第１記録再生層１４における第１表面１０Ａ側からの積層順位と、第２記録再生層３４における光記録媒体１０の厚さ方向の中心側からの積層順位が同じになるような一対の記録再生層に同時に記録する限り、これら一対の記録再生層をランダムに選定して記録してもよい。
【０１５７】
更に本実施形態では、第１記録再生動作として、トラッキング用のビーム２７０Ａをサーボ層１８に照射してトラッキング制御を行いながら、第１記録再生層群１４に対して第１光ピックアップ９０Ａの記録再生用のビーム１７０Ａを照射して情報の記録する。一方、第２記録再生動作では、第１記録再生動作で用いるビーム２７０Ａ及びサーボ層１８を用いて、第２記録再生層群３４に対して第２光ピックアップ９０Ｂをトラッキング制御し、第２光ピックアップ９０Ｂの記録再生用ビーム１７０Ｂを照射して情報を記録する。従って、光記録再生装置７０における第２光ピックアップ９０Ｂでは、トラッキング用光学系を省略することが可能となり、構造を簡潔にすることができる。
【０１５８】
また本実施形態のＯＰＣ制御では、図６のフローチャートで説明したように、第１記録再生層群１４における光記録媒体１０の厚さ方向の中心側からｎ番目の記録再生層に記録する記録再生用ビーム１７０Ａの最適記録パワーが未決定の場合、第２記録再生層群３４における中心側からのｎ番目の記録再生層に記録する記録再生用ビーム１０７Ｂの最適記録パワーが既にＯＰＣ制御によって決定されているか否かをメモリ手段８７Ａに参照し、決定している場合はこの最適記録パワーを第１記録再生用ビーム１７０Ａの最適記録パワーに決定する。一方、この第２記録再生層群３４の記録再生用ビーム１７０Ｂの最適記録パワーも未決定の場合に限って、第１記録再生層群１４のｎ番目の記録再生層の試し書き領域に対して記録再生用ビーム１７０Ａによって試し書きを行うことで、この記録再生用ビーム１７０Ａの最適記録パワーを決定する。
【０１５９】
同様に、第２記録再生層群３４における光記録媒体１０の厚さ方向の中心側からｍ番目の記録再生層に記録する記録再生用ビーム１７０Ｂの最適記録パワーが未決定の場合、第１記録再生層群１４における中心側からのｍ番目の記録再生層に記録する記録再生用ビーム１０７Ａの最適記録パワーが既にＯＰＣ制御によって決定されているか否かをメモリ手段８７Ａに参照し、決定している場合はこの最適記録パワーを第２記録再生用ビーム１７０Ｂの最適記録パワーに決定する。一方、この第１記録再生層群１４の記録再生用ビーム１７０Ａの最適記録パワーも未決定の場合に限って、第２記録再生層群３４のｍ番目の記録再生層の試し書き領域に対して記録再生用ビーム１７０Ｂによって試し書きを行うことで、この記録再生用ビーム１７０Ｂの最適記録パワーを決定する。
【０１６０】
この光記録媒体１０では、厚さ方向の中心から同じ積層順位（ｎ番目、ｍ番目）となる一対の記録再生層は、第１、第２表面１０Ａ、３０Ａからの距離やビームの光路が対称状態になることから、互いの記録特性が近似する。従って、第１、第２記録再生層群１４、３４の各記録再生層の最適記録パワーを個々に設定する際、厚さ方向の中心から同じ積層順位（ｎ番目、ｍ番目）となる一対の記録再生層の一方で既に最適記録パワーが決定している場合は、この最適記録パワーを他方の記録再生層の最適記録パワーに採用する。この分だけ、試し書き動作が不要となるので、ＯＰＣの時間を大幅に短縮することが可能となる。
【０１６１】
特に図７で示したように、第１記録事例から第４記録事例に記録を進めて行くほど、メモリ手段８７Ａに蓄積される最適記録パワーの種類が増えるので、ＯＰＣの為に試し書き領域Ｘに試し書きを行う必要性が減り、ＯＰＣの時間を益々短縮することが可能となる。
【０１６２】
結果として、本実施形態のＯＰＣ制御によれば、第１及び第２記録再生層群１４、３４に必要となる試し書き領域Ｘを半分にすることが可能となる。従って、全ての記録再生層に試し書き領域Ｘを形成する場合と比較して、試し書き領域Ｘの面積も狭くすることが可能となる。これは、第１及び第２記録再生層群１４、３４のユーザデータ領域を広げることに繋がる。
【０１６３】
また更に、この光記録再生方法によれば、独立した２つの記録再生用のビーム１７０Ａ、１７０Ｂを利用して第１、第２記録再生層群１４、３４に対して情報を記録できる。従って、第１、第２光ピックアップ９０Ａ、９０Ｂの記録再生用のビーム１７０Ａ、１７０Ｂの焦点移動範囲を、厚さ方向で分担させることが可能となる。結果、記録再生層の層数を増やしても、チルト等におけるコマ収差に対して有利な状態にすることができる。
【０１６４】
具体的に本光記録再生方法では、第１記録再生動作で用いる第１光ピックアップ９０Ａの記録再生用ビーム１７０Ａは、光記録媒体１０の第１表面１０Ａから入射させるようにし、第２記録再生動作で用いる第２光ピックアップ９０Ｂの記録再生用ビーム１７０Ｂは、光記録媒体１０における第２表面３０Ａから入射させるようにしている。結果として、例えば、第１記録再生動作を行う第１光ピックアップ９０Ａでは、光記録媒体１０の厚さ方向の中心を基準に一方側に配置される第１記録再生層１４に対して記録を行い、第２記録再生動作を行う第２光ピックアップ９０Ｂでは、光記録媒体１０の厚さ方向の中心を基準に他方側に配置される第２記録再生層３４に対して記録を行う。結果、この光記録媒体１０のように、第１記録再生層１４を第１表面１０Ａに近づけると共に、第２記録再生層群３４を第２表面３０Ａに近づけることができる。従って、この記録再生方法では、記録再生層の層数を増大させながらも、更にチルト等におけるコマ収差に対して有利になる。
【０１６５】
また、本実施形態で用いる光記録媒体１０では、第１記録再生層群１４と第２記録再生層群３４が、光記録媒体１０の厚さ方向の中心を基準として対称となる位置に配置されている。結果、光記録再生装置７０の第１、第２光ピックアップ９０Ａ、９０Ｂの光学設計や、記録再生層の位置認識、フォーカス制御などを共通化でき、記録再生速度の高速化を実現できる。また、光記録媒体１０において第１、第２記録再生層群１４、３４に生じる内部応力も厚さ方向に対称になるので、光記録媒体１０の反りを抑制することにもつながる。この結果、サーボ層１８から最も遠いＬ５記録再生層１４Ｆ、３４Ｆであっても、記録マークの形成に関して半径方向のずれが生じにくいので、試し書き領域Ｘにおいて、予め配慮すべき誤差範囲を小さく設定できる。
【０１６６】
更にこの光記録再生方法では、第１光ピックアップ９０Ａの記録再生用のビーム１７０Ａと、第２光ピックアップ９０Ｂの記録再生用のビーム１７０Ｂが、光記録媒体１０に対して周方向に互いにずれた位置に配置される。この結果、互いのビーム１７０Ａ、１７０Ｂが反対側の表面まで漏れ出しても、再生波形に悪影響を及ぼすことを回避できる。なお、サーボ層１８に照射されるトラッキング用のビーム２７０Ａがサーボ層１８を多量に通過してしまうと、第２光ピックアップ９０Ｂ側に悪影響を与えやすい。そこで本光記録媒体１０では、サーボ層１８においてビーム２７０Ａの透過率を１０％以下に設定することで、ビーム２７０Ａの第２光ピックアップ９０Ｂ側への悪影響を抑制できる。
【０１６７】
また、本実施形態の光記録再生方法が適用される光記録媒体１０は、支持基板１２の一方の面のみにサーボ層１８が形成され、更に、この支持基板１２の両面に第１記録再生層群１４と第２記録再生層群３４が配置されている。結果、第１、第２記録再生層群１４、３４を形成する際の内部応力が、支持基板１２の両側に分散されるので、光記録媒体１０の反りや変形を抑制することができる。なお、このように内部応力を分散させることにより、支持基板１２の厚さを１００μｍ〜１０００μｍの範囲内に設定しても、光記録媒体１０の反りを抑制することが可能となる。
【０１６８】
なお、支持基板１２の両側にトラッキング用の凹凸を形成しようとすると、この支持基板１２の製造工程自体が複雑化し、支持基板１２の精度が悪化しやすくなる。そこで本実施形態では、トラッキング用の凹凸を支持基板１２の片面側に形成し、支持基板１２の製造を簡潔化することで精度を高めている。このようにサーボ層１８を単一化しても、単一のビーム２７０Ａを利用して、両側に配置される第１、第２光ピックアップ９０Ａ、９０Ｂのトラッキング制御を行うので、光記録再生装置７０による記録精度を十分に確保できる。
【０１６９】
更にこの光記録媒体１０では、第１バッファ層１７と第２バッファ層３７の厚みが、略同じに設定されている。結果、第１、第２バッファ層１７、３７の形成工程中の支持基板１２の反りを抑制することができる。これは、支持基板１２を薄くしたり、剛性の低い材料で構成したりできることを意味し、その分だけ、記録再生層を形成するスペースを増大させることが可能になる。
【０１７０】
特に本実施形態では、光記録媒体１０を製作する際に、第１バッファ層１７と第２バッファ層３７、第１記録再生層群１４と第２記録再生層群３４、第１中間層群１６と第２中間層群３６を、両側の面において同時に形成する。結果、紫外線硬化時の発生する内部応力が、支持基板１２の両側に均等に作用するので、光記録媒体１０の反りを一層低減できることになる。
【０１７１】
更に光記録媒体１０では、トラッキング用の赤色波長のビーム２７０Ａを照射した場合のサーボ層１８の反射率が、仮に記録再生用のビーム１７０Ａをサーボ層１８に照射した場合の反射率と比較して大きく設定されている。具体的にこれを実現する為に、第１バッファ層１７に関して、ビームの波長が短いほど光吸収量が大きくなる材料が選択されている。このようにすると、青色波長となる記録再生用のビーム１７０Ａが仮にサーボ層１８側に入射しても、第１バッファ層１７で吸収され易いのでサーボ層１８に到達する光量（サーボ層１８からの反射光量）を抑制できる。一方、第１光ピックアップ９０Ａによるトラッキング用のビーム２７０Ａは、第１バッファ層１７を積極的に透過できるので、サーボ層１８に到達する光量（サーボ層１８からの反射光量）を増大させることができる。結果、再生信号の品質を高めると同時に、安定したトラッキング制御を実現できる。
【０１７２】
なお、本実施形態では、第１バッファ層１７において、赤色波長と青色波長で光吸収率が異なる特性を付与し、結果的に、サーボ層１８の反射率が、トラッキング用ビームと記録再生用ビームで異なるようにしたが、本発明はこれに限定されない。例えば、サーボ層１８に形成される反射膜自体に、波長によって反射率が異なるような波長選択特性を付与するようにしても良い。また、第１バッファ層１７とは別に、光透過率や吸収率の波長選択特性を有するフィルタ層を別途形成するようにしても良い。
【０１７３】
更に、従来のように複数のサーボ層を光記録媒体内に形成すると、どのサーボ層を利用して、どの記録再生層を記録するか等の取り決めが複雑化し、記録再生制御が混乱しやすい。そこで本実施形態のように、一つのサーボ層１８に対して第１光ピックアップ９０Ａのトラッキング用のビーム２７０Ａのみを照射し、そのトラッキング誤差信号を利用して、第１記録再生層群１４と第２記録再生層群３４の全てを記録することで、記録再生制御が簡潔化されるので、記録再生エラーを低減する事も可能になる。
【０１７４】
また上記実施形態の光記録媒体１０では、第１カバー層１１と第２カバー層３１の厚さを同じにする場合を例示したが、本発明はこれに限定されない。例えば図１１に示される光記録媒体１０のように、第１カバー層１１と第２カバー層３１の厚みを異ならせることも好ましい。具体的には、第２カバー層３１の厚みと比較して、第１カバー層１１の厚みを支持基板１２の厚さ分だけ大きく設定する。このようにすることで、サーボ層１８が、光記録媒体１０の厚さ方向の中心に配置することになる。なお、この光記録媒体１０を製作する際は、厚さの異なる第１カバー層１１と第２カバー層３１を別々に積層することが好ましい。これらを同時に積層しなくても、支持基板１２や第１、第２バッファ層１７、３７、第１記録再生層群１４及び第１中間層群１６、第２記録再生層群３４及び第２中間層群３６によって、既にある程度の剛性が確保されているので、光記録媒体１０の反りや変形が十分に抑制される。
【０１７５】
更に上記実施形態では、第１、第２記録再生層群１４、３４の各記録再生層として、予め記録膜が成膜されている場合に限って示したが、本発明はこれに限定されない。例えば図１２に示される光記録媒体１０のように、将来の第１、第２記録再生層群となり得る場所の全体を、所定の厚みを有する第１、第２バルク層１３、３３とすることができる。この第１、第２バルク層１３、３３に記録用ビーム１７０Ａ、１７０Ｂが照射されると、ビームスポットの焦点部分のみが状態変化をおこして記録マークが形成される。即ち、本発明における光記録媒体は、ビームが照射される記録再生層が予め形成されたものに限られず、平面領域に記録マークが随時形成され、この記録マークの集合体として、第１、第２記録再生層群１４、３４が事後的に多層構成される場合も含んでいる。光記録媒体１０にバルク層１３、３３の構造を採用することにより、バルク層１３、３３の範囲内であれば、記録再生層の位置を自由に設定できる。例えば、第１バルク層１３と第２バルク層３３の厚さや配置が互いに異なっていても、第１、第２記録再生層群１４、３４の第１、第２表面１０Ａ、３０Ａからの距離を、互いに一致させることもできる。なお、ここでは第１、第２バルク層１３、３３を採用する際に、カバー層を省略する構造を例示したが、この他にもバッファ層を省略することもできる。
【０１７６】
また、本実施形態では、第１光ピックアップ９０Ａのトラッキング用のビーム２７０Ａをサーボ層１８に照射してトラッキング制御を行いながら、第１、第２記録再生層群１４、３４に対して記録再生用のビーム１７０Ａ、１７０Ｂを照射して情報の記録する場合を例示したが、本発明はこれに限定されない。例えば図１３に示されるように、第２光ピックアップ９０Ｂにもトラッキング用のビーム２７０Ｂを備えるようにし、双方からサーボ層１８に対してトラッキング用のビーム２７０Ａ、２７０Ｂを照射することで、第１、第２光ピックアップ９０Ａ、９０Ｂで独立してトラッキング制御を行うことも可能である。このようにすると、第１、第２記録再生層群１４、３４の別々の場所に対して同時に記録していくことも可能となる。
【０１７７】
更に本実施形態では、第１、第２記録再生層１４、３４にトラッキング制御用の凹凸が形成されない場合を示したが、本発明はこれに限定されない。第１、第２記録再生層１４、３４の各記録再生層のトラッキング用の凹凸を形成するようにしても良い。
【０１７８】
また本実施形態では、出力制御装置８６が、光記録媒体１０の試し書き領域でＯＰＣ制御を行って最適な記録パワーを選定し、この記録パワーを、そのままパワー調整手段８９に伝達して制御する場合を例示しているが、本発明はこれに限定されない。例えば、ＯＰＣ制御によって得られる最適記録パワーに対して、更に加算又は乗算などによって補正を行い、補正後の最適記録パワーを記録パワー調整手段８９に伝達することも好ましい。具体的には、特定の記録再生層の記録パワーを確定させる際、この記録再生層よりも光入射面側に存在する他の記録再生層に情報が記録されているか否かを判断し、この判断に基づいて特定の記録再生層の記録パワーを補正することが好ましい。例えば特定の記録再生層よりも光入射面側の記録再生層に情報が記録されることで記録用ビームの透過率が悪化する場合は、特定の記録再生層に情報を記録する際の最適記録パワーを高めるように補正を行うことが好ましい。このようにすると、記録品質を更に高めることが可能となる。
【０１７９】
更に本実施形態では、ＯＰＣ制御によって選定された最適記録パワーをメモリ手段８７Ａに蓄積する場合を例示したが、この最適記録パワーを、光記録媒体１０の個体識別情報（媒体認識情報）と一緒にメモリ手段８７Ａに蓄積することが好ましい。このようにすると、光記録媒体１０が光記録再生装置７０から一旦取り出された後、再度、この光記録再生装置７０にマウントされた際、出力制御装置８６が、この再マウントされた光記録媒体１０の個体識別情報を読み取ってメモリ手段８７Ａを参照し、過去の最適記録パワーを読み出すことができる。結果、光記録媒体１０の交換時におけるＯＰＣ制御の時間を一層短縮することができる。なお、この最適記録パワーを、光記録媒体１０の記録再生層の管理領域などに記録することで、光記録媒体１０側に蓄積させることも可能である。
【０１８０】
なお、本実施形態では、トラッキング用のビーム２７０Ａの波長と、記録再生用のビーム１７０Ａ、１７０Ｂの波長が赤色と青色で異なる場合を示したが、本発明はこれに限定されず、トラッキング用と記録再生用の間で同じ波長領域のビームを採用しても良い。
【産業上の利用可能性】
【０１８１】
本発明の光記録媒体等は、サーボ層と記録再生層を有する各種光記録媒体に適用することができる。
【符号の説明】
【０１８２】
１０              光記録媒体
１１              第１カバー層
１２              支持基板
１４              第１記録再生層群
１６              第１中間層群
１７              第１バッファ層
１８              サーボ層
３１              第２カバー層
３４              第２記録再生層群
３６              第２中間層群
３７              第２バッファ層
８６              出力制御装置
９０Ａ            第１光ピックアップ
９０Ｂ            第２光ピックアップ
【図１】
0005659911.tif 000002
【図２】
0005659911.tif 000003
【図３】
0005659911.tif 000004
【図４】
0005659911.tif 000005
【図５Ａ】
0005659911.tif 000006
【図５Ｂ】
0005659911.tif 000007
【図５Ｃ】
0005659911.tif 000008
【図５Ｄ】
0005659911.tif 000009
【図６】
0005659911.tif 000010
【図７】
0005659911.tif 000011
【図８】
0005659911.tif 000012
【図９】
0005659911.tif 000013
【図１０】
0005659911.tif 000014
【図１１】
0005659911.tif 000015
【図１２】
0005659911.tif 000016
【図１３】
0005659911.tif 000017